(57)【特許請求の範囲】
【請求項１】
属性を示す項目を複数含むナビゲーション情報を記憶するナビゲーション情報記憶手段と、
上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、
上記表示優先項目設定手段により設定された複数の上記表示優先項目の優先度がグラフとして表示された、当該優先度を入力するための表示画面を表示部に表示させる入力画面表示手段と、
上記表示優先項目の上記優先度に対する所定の固定化操作が入力部を介して入力された場合、上記固定化操作がなされた当該表示優先項目の当該優先度を変更させない固定化手段と、
上記入力部を介して上記表示部を用いて入力された上記表示優先項目の上記優先度に基づいて、当該入力された上記表示優先項目の上記優先度以外の上記表示優先項目の上記優先度を決定する優先度決定手段と、
上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段と、
を備えたことを特徴とする、検索システム。
【請求項２】
属性を示す項目を複数含むナビゲーション情報を記憶するナビゲーション情報記憶手段と、
上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、
上記表示優先項目設定手段により設定された複数の上記表示優先項目の優先度がグラフ中で配置が隣接する上記表示優先項目の上記優先度を連動させる線分を含む上記グラフとして表示された、当該優先度を入力するための表示画面を表示部に表示させる入力画面表示手段と、
上記線分に対する移動操作が入力部を介して入力された場合、当該移動操作に基づき上記線分で結ばれた上記表示優先項目の上記優先度を連動して変更させる連動変更手段と、
上記連動変更手段により上記線分で結ばれた上記表示優先項目の上記優先度が連動して変更された場合、当該変更された上記表示優先項目以外の他の上記表示優先項目の上記優先度を決定する優先度決定手段と、
上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段と、
を備えたことを特徴とする、検索システム。
【請求項３】
請求項１または２に記載の検索システムにおいて、
上記グラフは、
上記表示優先項目の数に応じた多角形のレーダチャートであることを特徴とする、検索システム。
【請求項４】
請求項１から３のいずれか一つに記載の検索システムにおいて、
上記優先度決定手段は、
１つの上記表示優先項目の上記優先度が上記入力部を介して変更された場合、当該変更に基づいて当該変更された上記表示優先項目の上記優先度以外の他の上記表示優先項目の上記優先度を決定することを特徴とする、検索システム。
【請求項５】
請求項１から３のいずれか一つに記載の検索システムにおいて、
上記優先度決定手段は、
複数の上記表示優先項目の上記優先度が上記入力部を介して一緒に変更された場合、当該変更に基づいて当該変更された上記表示優先項目の上記優先度以外の他の上記表示優先項目の上記優先度を決定することを特徴とする、検索システム。
【請求項６】
請求項１から５のいずれか一つに記載の検索システムにおいて、
所定の初期化操作が上記入力部を介して入力された場合、上記各表示優先項目の上記優先度を、初期設定の上記優先度に変更する初期化手段、
を更に備えたことを特徴とする、検索システム。
【請求項７】
請求項１から６のいずれか一つに記載の検索システムにおいて、
上記項目に対する指定操作が上記入力部を介して入力された場合、当該指定操作に基づき上記表示優先項目を変更する項目変更手段、
を更に備え、
上記優先度決定手段は、
上記項目変更手段による上記表示優先項目の上記変更に基づいて、当該変更された上記表示優先項目以外の他の上記表示優先項目の上記優先度を決定することを特徴とする、検索システム。
【請求項８】
請求項１から７のいずれか一つに記載の検索システムにおいて、
所定の補正処理により、上記優先度決定手段により決定された上記表示優先項目の上記優先度に対する補正値を算出し、当該優先度および当該補正値を相互に変換する補正値算出手段、
を更に備え、
上記変更表示手段は、
上記補正値算出手段により算出された上記補正値、または、上記補正値算出手段により相互に変換された上記優先度もしくは上記補正値に基づき上記グラフの表示を変更した上記表示画面を上記表示部に表示させることを特徴とする、検索システム。
【請求項９】
請求項１から８のいずれか一つに記載の検索システムにおいて、
検索条件を満たす上記ナビゲーション情報を取得するナビゲーション情報取得手段と、
上記ナビゲーション情報取得手段により取得された上記ナビゲーション情報と上記優先度とに基づき、上記ナビゲーション情報の表示優先度を決定する表示優先度決定手段と、
を更に備え、
上記変更表示手段は、
更に、上記表示優先度決定手段により決定された上記表示優先度に基づき、上記ナビゲーション情報取得手段により取得された上記ナビゲーション情報に基づく上記表示画面を上記表示部に表示させることを特徴とする、検索システム。
【請求項１０】
請求項９に記載の検索システムにおいて、
上記優先度決定手段は、
上記変更表示手段により上記ナビゲーション情報に基づく上記表示画面が上記表示部に表示された場合であって、上記表示優先項目の上記優先度が上記入力部を介して変更された場合、当該変更に基づいて当該変更された上記表示優先項目の上記優先度以外の他の上記表示優先項目の上記優先度を決定し、
上記表示優先度決定手段は、
上記ナビゲーション情報取得手段により取得された上記ナビゲーション情報と、上記入力部を介して変更された上記表示優先項目の上記優先度、および、上記優先度決定手段により決定された上記表示優先項目の上記優先度とに基づき、上記ナビゲーション情報の上記表示優先度を決定し、
上記変更表示手段は、
更に、上記表示優先度決定手段により決定された上記表示優先度に基づき、上記ナビゲーション情報取得手段により取得された上記ナビゲーション情報に基づく上記表示画面を上記表示部に再表示させることを特徴とする、検索システム。
【請求項１１】
表示部と入力部とを少なくとも備えた端末装置に通信可能に接続された、制御部と記憶部とを少なくとも備えたナビゲーションサーバであって、
上記記憶部は、
属性を示す項目を複数含むナビゲーション情報を記憶するナビゲーション情報記憶手段、
を備え、
上記制御部は、
上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、
上記表示優先項目設定手段により設定された複数の上記表示優先項目の優先度がグラフとして表示された、当該優先度を入力するための表示画面を生成する入力表示画面生成手段と、
上記入力表示画面生成手段により生成された上記表示画面を上記端末装置へ送信することにより、当該端末装置の上記表示部に当該表示画面を表示させる入力表示制御手段と、
上記表示優先項目の上記優先度に対する所定の固定化操作が上記端末装置の上記入力部を介して入力された場合、上記固定化操作がなされた当該表示優先項目の当該優先度を変更させない固定化手段と、
上記端末装置の上記入力部を介して上記表示部を用いて入力された上記表示優先項目の上記優先度に基づいて、当該入力された上記表示優先項目の上記優先度以外の上記表示優先項目の上記優先度を決定する優先度決定手段と、
上記端末装置の上記入力部を介して入力された上記表示優先項目の上記優先度、および、上記優先度決定手段により決定された上記表示優先項目の上記優先度に基づいて、上記グラフの表示を変更した上記表示画面を生成する変更表示画面生成手段と、
上記変更表示画面生成手段により生成された上記表示画面を上記端末装置へ送信することにより、当該端末装置の上記表示部に当該表示画面を表示させる変更表示制御手段と、
を備えたことを特徴とする、ナビゲーションサーバ。
【請求項１２】
属性を示す項目を複数含むナビゲーション情報を記憶するナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、
上記表示優先項目設定ステップにて設定された複数の上記表示優先項目の優先度がグラフとして表示された、当該優先度を入力するための表示画面を表示部に表示させる入力画面表示ステップと、
上記表示優先項目の上記優先度に対する所定の固定化操作が入力部を介して入力された場合、上記固定化操作がなされた当該表示優先項目の当該優先度を変更させない固定化ステップと、
上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、
上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を含むことを特徴とする、検索方法。
【請求項１３】
制御部と記憶部とを少なくとも備えたナビゲーションサーバ、および、表示部と入力部と制御部とを少なくとも備えた端末装置、を通信可能に接続した検索システムにおいて実行される検索方法であって、
上記ナビゲーションサーバの上記記憶部は、
属性を示す項目を複数含むナビゲーション情報を記憶するナビゲーション情報記憶手段、
を備え、
上記端末装置の上記制御部において実行される、上記ナビゲーション情報に含まれる上記項目のうち、上記ナビゲーション情報を表示する際の優先順位の決定に用いる上記項目を表示優先項目として設定する表示優先項目設定ステップと、
上記端末装置の上記制御部において実行される、上記表示優先項目設定ステップにて設定された複数の上記表示優先項目の優先度がグラフとして表示された、当該優先度を入力するための表示画面を上記表示部に表示させる入力画面表示ステップと、
上記端末装置の上記制御部において実行される、上記表示優先項目の上記優先度に対する所定の固定化操作が上記入力部を介して入力された場合、上記固定化操作がなされた当該表示優先項目の当該優先度を変更させない固定化ステップと、
上記端末装置の上記制御部において実行される、上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、
上記端末装置の上記制御部において実行される、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を含むことを特徴とする、検索方法。
【請求項１４】
コンピュータを、
属性を示す項目を複数含むナビゲーション情報を記憶するナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段、
上記表示優先項目設定手段により設定された複数の上記表示優先項目の優先度がグラフとして表示された、当該優先度を入力するための表示画面を表示部に表示させる入力画面表示手段、
上記表示優先項目の上記優先度に対する所定の固定化操作が入力部を介して入力された場合、上記固定化操作がなされた当該表示優先項目の当該優先度を変更させない固定化手段、
上記入力部を介して上記表示部を用いて入力された上記表示優先項目の上記優先度に基づいて、当該入力された上記表示優先項目の上記優先度以外の上記表示優先項目の上記優先度を決定する優先度決定手段、
上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段、
として機能させることを特徴とするプログラム。
【請求項１５】
記憶部を少なくとも備えたナビゲーションサーバに通信可能に接続された、表示部と入力部と制御部とを少なくとも備えた端末装置に実行させるためのプログラムであって、
上記ナビゲーションサーバの上記記憶部は、
属性を示す項目を複数含むナビゲーション情報を記憶するナビゲーション情報記憶手段、
を備え、
上記制御部において、
上記ナビゲーション情報に含まれる上記項目のうち、上記ナビゲーション情報を表示する際の優先順位の決定に用いる上記項目を表示優先項目として設定する表示優先項目設定ステップと、
上記表示優先項目設定ステップにて設定された複数の上記表示優先項目の優先度がグラフとして表示された、当該優先度を入力するための表示画面を上記表示部に表示させる入力画面表示ステップと、
上記表示優先項目の上記優先度に対する所定の固定化操作が上記入力部を介して入力された場合、上記固定化操作がなされた当該表示優先項目の当該優先度を変更させない固定化ステップと、
上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、
上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を実行させるためのプログラム。
【請求項１６】
表示部と入力部とを少なくとも備えた端末装置に通信可能に接続された、制御部と記憶部とを少なくとも備えたナビゲーションサーバであって、
上記記憶部は、
属性を示す項目を複数含むナビゲーション情報を記憶するナビゲーション情報記憶手段、
を備え、
上記制御部は、
上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、
上記表示優先項目設定手段により設定された複数の上記表示優先項目の優先度がグラフ中で配置が隣接する上記表示優先項目の上記優先度を連動させる線分を含む上記グラフとして表示された、当該優先度を入力するための表示画面を生成する入力表示画面生成手段と、
上記入力表示画面生成手段により生成された上記表示画面を上記端末装置へ送信することにより、当該端末装置の上記表示部に当該表示画面を表示させる入力表示制御手段と、
上記線分に対する移動操作が上記端末装置の上記入力部を介して入力された場合、当該移動操作に基づき上記線分で結ばれた上記表示優先項目の上記優先度を連動して変更させる連動変更手段と、
上記連動変更手段により上記線分で結ばれた上記表示優先項目の上記優先度が連動して変更された場合、当該変更された上記表示優先項目以外の他の上記表示優先項目の上記優先度を決定する優先度決定手段と、
上記端末装置の上記入力部を介して入力された上記表示優先項目の上記優先度、および、上記優先度決定手段により決定された上記表示優先項目の上記優先度に基づいて、上記グラフの表示を変更した上記表示画面を生成する変更表示画面生成手段と、
上記変更表示画面生成手段により生成された上記表示画面を上記端末装置へ送信することにより、当該端末装置の上記表示部に当該表示画面を表示させる変更表示制御手段と、
を備えたことを特徴とする、ナビゲーションサーバ。
【請求項１７】
属性を示す項目を複数含むナビゲーション情報を記憶するナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、
上記表示優先項目設定ステップにて設定された複数の上記表示優先項目の優先度がグラフ中で配置が隣接する上記表示優先項目の上記優先度を連動させる線分を含む上記グラフとして表示された、当該優先度を入力するための表示画面を表示部に表示させる入力画面表示ステップと、
上記線分に対する移動操作が入力部を介して入力された場合、当該移動操作に基づき上記線分で結ばれた上記表示優先項目の上記優先度を連動して変更させる連動変更ステップと、
上記連動変更ステップにて上記線分で結ばれた上記表示優先項目の上記優先度が連動して変更された場合、当該変更された上記表示優先項目以外の他の上記表示優先項目の上記優先度を決定する優先度決定ステップと、
上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を含むことを特徴とする、検索方法。
【請求項１８】
制御部と記憶部とを少なくとも備えたナビゲーションサーバ、および、表示部と入力部と制御部とを少なくとも備えた端末装置、を通信可能に接続した検索システムにおいて実行される検索方法であって、
上記ナビゲーションサーバの上記記憶部は、
属性を示す項目を複数含むナビゲーション情報を記憶するナビゲーション情報記憶手段、
を備え、
上記端末装置の上記制御部において実行される、上記ナビゲーション情報に含まれる上記項目のうち、上記ナビゲーション情報を表示する際の優先順位の決定に用いる上記項目を表示優先項目として設定する表示優先項目設定ステップと、
上記端末装置の上記制御部において実行される、上記表示優先項目設定ステップにて設定された複数の上記表示優先項目の優先度がグラフ中で配置が隣接する上記表示優先項目の上記優先度を連動させる線分を含む上記グラフとして表示された、当該優先度を入力するための表示画面を上記表示部に表示させる入力画面表示ステップと、
上記端末装置の上記制御部において実行される、上記線分に対する移動操作が上記入力部を介して入力された場合、当該移動操作に基づき上記線分で結ばれた上記表示優先項目の上記優先度を連動して変更させる連動変更ステップと、
上記端末装置の上記制御部において実行される、上記連動変更ステップにて上記線分で結ばれた上記表示優先項目の上記優先度が連動して変更された場合、当該変更された上記表示優先項目以外の他の上記表示優先項目の上記優先度を決定する優先度決定ステップと、
上記端末装置の上記制御部において実行される、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を含むことを特徴とする、検索方法。
【請求項１９】
コンピュータを、
属性を示す項目を複数含むナビゲーション情報を記憶するナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段、
上記表示優先項目設定手段により設定された複数の上記表示優先項目の優先度がグラフ中で配置が隣接する上記表示優先項目の上記優先度を連動させる線分を含む上記グラフとして表示された、当該優先度を入力するための表示画面を表示部に表示させる入力画面表示手段、
上記線分に対する移動操作が入力部を介して入力された場合、当該移動操作に基づき上記線分で結ばれた上記表示優先項目の上記優先度を連動して変更させる連動変更手段、
上記連動変更手段により上記線分で結ばれた上記表示優先項目の上記優先度が連動して変更された場合、当該変更された上記表示優先項目以外の他の上記表示優先項目の上記優先度を決定する優先度決定手段、
上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段、
として機能させることを特徴とするプログラム。
【請求項２０】
記憶部を少なくとも備えたナビゲーションサーバに通信可能に接続された、表示部と入力部と制御部とを少なくとも備えた端末装置に実行させるためのプログラムであって、
上記ナビゲーションサーバの上記記憶部は、
属性を示す項目を複数含むナビゲーション情報を記憶するナビゲーション情報記憶手段、
を備え、
上記制御部において、
上記ナビゲーション情報に含まれる上記項目のうち、上記ナビゲーション情報を表示する際の優先順位の決定に用いる上記項目を表示優先項目として設定する表示優先項目設定ステップと、
上記表示優先項目設定ステップにて設定された複数の上記表示優先項目の優先度がグラフ中で配置が隣接する上記表示優先項目の上記優先度を連動させる線分を含む上記グラフとして表示された、当該優先度を入力するための表示画面を上記表示部に表示させる入力画面表示ステップと、
上記線分に対する移動操作が上記入力部を介して入力された場合、当該移動操作に基づき上記線分で結ばれた上記表示優先項目の上記優先度を連動して変更させる連動変更ステップと、
上記連動変更ステップにて上記線分で結ばれた上記表示優先項目の上記優先度が連動して変更された場合、当該変更された上記表示優先項目以外の他の上記表示優先項目の上記優先度を決定する優先度決定ステップと、
上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、
を実行させるためのプログラム。
【発明の詳細な説明】
【技術分野】
【０００１】
本発明は、検索システム、ナビゲーションサーバ、検索方法、および、プログラムに関する。
【背景技術】
【０００２】
従来から、ユーザにより選択された項目に基づいて情報を提供する技術が開示されている。
【０００３】
例えば、特許文献１に記載の経路案内装置においては、複数条件に基づいて複数の経路を探索し、探索された各経路の特徴量を算出し、探索された複数経路について、複数の特徴量を提示すると共に、特徴量増減ボタンも提示する技術が開示されている。そして、当該経路案内装置においては、当該特徴量増減ボタンが押下されることにより１つの条件の特徴量が増減し、表示されている経路よりも当該条件の順位が上位または下位の経路が表示されることで、利用者が好む経路を優先的に表示させる技術が開示されている。
【先行技術文献】
【特許文献】
【０００４】
【特許文献１】特開２００６−１８４１２７号公報
【発明の概要】
【発明が解決しようとする課題】
【０００５】
しかしながら、特許文献１に記載の経路案内装置においては、複数の条件の特徴量、すなわち、複数の条件の割合を自動的に変更させることができないという問題点を有していた。具体的には、当該経路案内装置においては、一つの条件の割合を変更した場合に他の条件の割合が自動調整されるわけではないため、個別の条件ごとにユーザが手動で割合を調整しなければならないという問題点を有していた。従って、当該経路案内装置においては、優先条件を柔軟に変更させることで、複数の条件のバランスを考慮した適切な情報を自動的に提供することができないという問題点を有していた。
【０００６】
本発明は、上記問題点に鑑みてなされたもので、複数の表示優先項目の優先度の割合を容易に変更させることができる検索システム、ナビゲーションサーバ、検索装置、検索方法、および、プログラムを提供することを目的とする。
【課題を解決するための手段】
【０００７】
このような目的を達成するため、本発明の検索装置は、表示部と入力部と制御部と記憶部とを少なくとも備えた検索装置であって、上記記憶部は、属性を示す項目を複数含むナビゲーション情報を記憶するナビゲーション情報記憶手段、を備え、上記制御部は、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、上記表示優先項目設定手段により設定された複数の上記表示優先項目の優先度がグラフとして表示された、当該優先度を入力するための表示画面を上記表示部に表示させる入力画面表示手段と、上記入力部を介して上記表示部を用いて入力された上記表示優先項目の上記優先度に基づいて、当該入力された上記表示優先項目の上記優先度以外の上記表示優先項目の上記優先度を決定する優先度決定手段と、上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段と、を備えたことを特徴とする。
【０００８】
また、本発明の検索装置は、上記記載の検索装置において、上記グラフは、上記表示優先項目の数に応じた多角形のレーダチャートであることを特徴とする。
【０００９】
また、本発明の検索装置は、上記記載の検索装置において、上記優先度決定手段は、１つの上記表示優先項目の上記優先度が上記入力部を介して変更された場合、当該変更に基づいて当該変更された上記表示優先項目の上記優先度以外の他の上記表示優先項目の上記優先度を決定することを特徴とする。
【００１０】
また、本発明の検索装置は、上記記載の検索装置において、上記優先度決定手段は、複数の上記表示優先項目の上記優先度が上記入力部を介して一緒に変更された場合、当該変更に基づいて当該変更された上記表示優先項目の上記優先度以外の他の上記表示優先項目の上記優先度を決定することを特徴とする。
【００１１】
また、本発明の検索装置は、上記記載の検索装置において、上記制御部は、上記表示優先項目の上記優先度に対する所定の固定化操作が上記入力部を介して入力された場合、上記固定化操作がなされた当該表示優先項目の当該優先度を変更させない固定化手段、を更に備えたことを特徴とする。
【００１２】
また、本発明の検索装置は、上記記載の検索装置において、上記固定化操作は、ダブルクリックであることを特徴とする。
【００１３】
また、本発明の検索装置は、上記記載の検索装置において、上記制御部は、所定の初期化操作が上記入力部を介して入力された場合、上記各表示優先項目の上記優先度を、初期設定の上記優先度に変更する初期化手段、を更に備えたことを特徴とする。
【００１４】
また、本発明の検索装置は、上記記載の検索装置において、上記制御部は、上記項目に対する指定操作が上記入力部を介して入力された場合、当該指定操作に基づき上記表示優先項目を変更する項目変更手段、を更に備え、上記優先度決定手段は、上記項目変更手段による上記表示優先項目の上記変更に基づいて、当該変更された上記表示優先項目以外の他の上記表示優先項目の上記優先度を決定することを特徴とする。
【００１５】
また、本発明の検索装置は、上記記載の検索装置において、上記グラフは、当該グラフ中で配置が隣接する上記表示優先項目の上記優先度を連動させる線分を含み、上記制御部は、上記線分に対する移動操作が上記入力部を介して入力された場合、当該移動操作に基づき上記線分で結ばれた上記表示優先項目の上記優先度を連動して変更させる連動変更手段、を更に備え、上記優先度決定手段は、上記連動変更手段により上記線分で結ばれた上記表示優先項目の上記優先度が連動して変更された場合、当該変更された上記表示優先項目以外の他の上記表示優先項目の上記優先度を決定することを特徴とする。
【００１６】
また、本発明の検索装置は、上記記載の検索装置において、上記入力部は、タッチパネルであることを特徴とする。
【００１７】
また、本発明の検索装置は、上記記載の検索装置において、上記制御部は、所定の補正処理により、上記優先度決定手段により決定された上記表示優先項目の上記優先度に対する補正値を算出し、当該優先度および当該補正値を相互に変換する補正値算出手段、を更に備え、上記変更表示手段は、上記補正値算出手段により算出された上記補正値、または、上記補正値算出手段により相互に変換された上記優先度もしくは上記補正値に基づき上記グラフの表示を変更した上記表示画面を上記表示部に表示させることを特徴とする。
【００１８】
また、本発明の検索装置は、上記記載の検索装置において、上記制御部は、検索条件を満たす上記ナビゲーション情報を取得するナビゲーション情報取得手段と、上記ナビゲーション情報取得手段により取得された上記ナビゲーション情報と上記優先度とに基づき、上記ナビゲーション情報の表示優先度を決定する表示優先度決定手段と、を更に備え、上記変更表示手段は、更に、上記表示優先度決定手段により決定された上記表示優先度に基づき、上記ナビゲーション情報取得手段により取得された上記ナビゲーション情報に基づく上記表示画面を上記表示部に表示させることを特徴とする。
【００１９】
また、本発明の検索装置は、上記記載の検索装置において、上記優先度決定手段は、上記変更表示手段により上記ナビゲーション情報に基づく上記表示画面が上記表示部に表示された場合であって、上記表示優先項目の上記優先度が上記入力部を介して変更された場合、当該変更に基づいて当該変更された上記表示優先項目の上記優先度以外の他の上記表示優先項目の上記優先度を決定し、上記表示優先度決定手段は、上記ナビゲーション情報取得手段により取得された上記ナビゲーション情報と、上記入力部を介して変更された上記表示優先項目の上記優先度、および、上記優先度決定手段により決定された上記表示優先項目の上記優先度とに基づき、上記ナビゲーション情報の上記表示優先度を決定し、上記変更表示手段は、更に、上記表示優先度決定手段により決定された上記表示優先度に基づき、上記ナビゲーション情報取得手段により取得された上記ナビゲーション情報に基づく上記表示画面を上記表示部に再表示させることを特徴とする。
【００２０】
また、本発明の検索装置は、上記記載の検索装置において、上記ナビゲーション情報は、ＰＯＩ情報であることを特徴とする。
【００２１】
また、本発明の検索装置は、上記記載の検索装置において、上記ナビゲーション情報は、案内経路データであることを特徴とする。
【００２２】
また、本発明の検索システムは、制御部と記憶部とを少なくとも備えたナビゲーションサーバ、および、表示部と入力部と制御部とを少なくとも備えた端末装置、を通信可能に接続した検索システムであって、上記ナビゲーションサーバの上記記憶部は、属性を示す項目を複数含むナビゲーション情報を記憶するナビゲーション情報記憶手段、を備え、上記端末装置の上記制御部は、上記ナビゲーション情報に含まれる上記項目のうち、上記ナビゲーション情報を表示する際の優先順位の決定に用いる上記項目を表示優先項目として設定する表示優先項目設定手段と、上記表示優先項目設定手段により設定された複数の上記表示優先項目の優先度がグラフとして表示された、当該優先度を入力するための表示画面を上記表示部に表示させる入力画面表示手段と、上記入力部を介して上記表示部を用いて入力された上記表示優先項目の上記優先度に基づいて、当該入力された上記表示優先項目の上記優先度以外の上記表示優先項目の上記優先度を決定する優先度決定手段と、上記入力部を介して入力された上記表示優先項目の上記優先度、および、上記優先度決定手段により決定された上記表示優先項目の上記優先度に基づいて、上記グラフの表示を変更した上記表示画面を上記表示部に表示させる変更表示手段と、を備えたことを特徴とする。
【００２３】
また、本発明のナビゲーションサーバは、表示部と入力部とを少なくとも備えた端末装置に通信可能に接続された、制御部と記憶部とを少なくとも備えたナビゲーションサーバであって、上記記憶部は、属性を示す項目を複数含むナビゲーション情報を記憶するナビゲーション情報記憶手段、を備え、上記制御部は、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定手段と、上記表示優先項目設定手段により設定された複数の上記表示優先項目の優先度がグラフとして表示された、当該優先度を入力するための表示画面を生成する入力表示画面生成手段と、上記入力表示画面生成手段により生成された上記表示画面を上記端末装置へ送信することにより、当該端末装置の上記表示部に当該表示画面を表示させる入力表示制御手段と、上記端末装置の上記入力部を介して上記表示部を用いて入力された上記表示優先項目の上記優先度に基づいて、当該入力された上記表示優先項目の上記優先度以外の上記表示優先項目の上記優先度を決定する優先度決定手段と、上記端末装置の上記入力部を介して入力された上記表示優先項目の上記優先度、および、上記優先度決定手段により決定された上記表示優先項目の上記優先度に基づいて、上記グラフの表示を変更した上記表示画面を生成する変更表示画面生成手段と、上記変更表示画面生成手段により生成された上記表示画面を上記端末装置へ送信することにより、当該端末装置の上記表示部に当該表示画面を表示させる変更表示制御手段と、を備えたことを特徴とする。
【００２４】
また、本発明の検索方法は、表示部と入力部と制御部と記憶部とを少なくとも備えた検索装置において実行される検索方法であって、上記記憶部は、属性を示す項目を複数含むナビゲーション情報を記憶するナビゲーション情報記憶手段、を備え、上記制御部において実行される、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、上記表示優先項目設定ステップにて設定された複数の上記表示優先項目の優先度がグラフとして表示された、当該優先度を入力するための表示画面を上記表示部に表示させる入力画面表示ステップと、上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、を含むことを特徴とする。
【００２５】
また、本発明の検索方法は、制御部と記憶部とを少なくとも備えたナビゲーションサーバ、および、表示部と入力部と制御部とを少なくとも備えた端末装置、を通信可能に接続した検索システムにおいて実行される検索方法であって、上記ナビゲーションサーバの上記記憶部は、属性を示す項目を複数含むナビゲーション情報を記憶するナビゲーション情報記憶手段、を備え、上記端末装置の上記制御部において実行される、上記ナビゲーション情報に含まれる上記項目のうち、上記ナビゲーション情報を表示する際の優先順位の決定に用いる上記項目を表示優先項目として設定する表示優先項目設定ステップと、上記端末装置の上記制御部において実行される、上記表示優先項目設定ステップにて設定された複数の上記表示優先項目の優先度がグラフとして表示された、当該優先度を入力するための表示画面を上記表示部に表示させる入力画面表示ステップと、上記端末装置の上記制御部において実行される、上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記端末装置の上記制御部において実行される、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、を含むことを特徴とする。
【００２６】
また、本発明の検索方法は、表示部と入力部とを少なくとも備えた端末装置に通信可能に接続された、制御部と記憶部とを少なくとも備えたナビゲーションサーバにおいて実行される検索方法であって、上記記憶部は、属性を示す項目を複数含むナビゲーション情報を記憶するナビゲーション情報記憶手段、を備え、上記制御部において実行される、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、上記表示優先項目設定ステップにて設定された複数の上記表示優先項目の優先度がグラフとして表示された、当該優先度を入力するための表示画面を生成する入力表示画面生成ステップと、上記入力表示画面生成ステップにて生成された上記表示画面を上記端末装置へ送信することにより、当該端末装置の上記表示部に当該表示画面を表示させる入力表示制御ステップと、上記端末装置の上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記端末装置の上記入力部を介して入力された上記表示優先項目の上記優先度、および、上記優先度決定ステップにて決定された上記表示優先項目の上記優先度に基づいて、上記グラフの表示を変更した上記表示画面を生成する変更表示画面生成ステップと、上記変更表示画面生成ステップにて生成された上記表示画面を上記端末装置へ送信することにより、当該端末装置の上記表示部に当該表示画面を表示させる変更表示制御ステップと、を含むことを特徴とする。
【００２７】
また、本発明のプログラムは、表示部と入力部と制御部と記憶部とを少なくとも備えた検索装置に実行させるためのプログラムであって、上記記憶部は、属性を示す項目を複数含むナビゲーション情報を記憶するナビゲーション情報記憶手段、を備え、上記制御部において、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、上記表示優先項目設定ステップにて設定された複数の上記表示優先項目の優先度がグラフとして表示された、当該優先度を入力するための表示画面を上記表示部に表示させる入力画面表示ステップと、上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、を実行させることを特徴とする。
【００２８】
また、本発明のプログラムは、記憶部を少なくとも備えたナビゲーションサーバに通信可能に接続された、表示部と入力部と制御部とを少なくとも備えた端末装置に実行させるためのプログラムであって、上記ナビゲーションサーバの上記記憶部は、属性を示す項目を複数含むナビゲーション情報を記憶するナビゲーション情報記憶手段、を備え、上記制御部において、上記ナビゲーション情報に含まれる上記項目のうち、上記ナビゲーション情報を表示する際の優先順位の決定に用いる上記項目を表示優先項目として設定する表示優先項目設定ステップと、上記表示優先項目設定ステップにて設定された複数の上記表示優先項目の優先度がグラフとして表示された、当該優先度を入力するための表示画面を上記表示部に表示させる入力画面表示ステップと、上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記入力部を介して入力された上記表示優先項目の上記優先度、および、上記優先度決定ステップにて決定された上記表示優先項目の上記優先度に基づいて、上記グラフの表示を変更した上記表示画面を上記表示部に表示させる変更表示ステップと、を実行させることを特徴とする。
【００２９】
また、本発明のプログラムは、表示部と入力部とを少なくとも備えた端末装置に通信可能に接続された、制御部と記憶部とを少なくとも備えたナビゲーションサーバに実行させるためのプログラムであって、上記記憶部は、属性を示す項目を複数含むナビゲーション情報を記憶するナビゲーション情報記憶手段、を備え、上記制御部において、上記ナビゲーション情報記憶手段に記憶された上記ナビゲーション情報に含まれる上記項目のうち、上記ナビゲーション情報を表示する際の優先順位の決定に用いる上記項目を表示優先項目として設定する表示優先項目設定ステップと、上記表示優先項目設定ステップにて設定された複数の上記表示優先項目の優先度がグラフとして表示された、当該優先度を入力するための表示画面を生成する入力表示画面生成ステップと、上記入力表示画面生成ステップにて生成された上記表示画面を上記端末装置へ送信することにより、当該端末装置の上記表示部に当該表示画面を表示させる入力表示制御ステップと、上記端末装置の上記入力部を介して上記表示部を用いて入力された上記表示優先項目の上記優先度に基づいて、当該入力された上記表示優先項目の上記優先度以外の上記表示優先項目の上記優先度を決定する優先度決定ステップと、上記端末装置の上記入力部を介して入力された上記表示優先項目の上記優先度、および、上記優先度決定ステップにて決定された上記表示優先項目の上記優先度に基づいて、上記グラフの表示を変更した上記表示画面を生成する変更表示画面生成ステップと、上記変更表示画面生成ステップにて生成された上記表示画面を上記端末装置へ送信することにより、当該端末装置の上記表示部に当該表示画面を表示させる変更表示制御ステップと、を実行させることを特徴とする。
【発明の効果】
【００３０】
この発明によれば、ナビゲーション情報に含まれる項目のうち、ナビゲーション情報を表示する際の優先順位の決定に用いる項目を表示優先項目として設定し、設定された複数の表示優先項目の優先度がグラフとして表示された、当該優先度を入力するための表示画面を表示部に表示させ、入力部を介して表示部を用いて入力された表示優先項目の優先度に基づいて、当該入力された表示優先項目の優先度以外の表示優先項目の優先度を決定し、入力部を介して入力された表示優先項目の優先度、および、決定された表示優先項目の優先度に基づいて、グラフの表示を変更した表示画面を表示部に表示させるので、ある表示優先項目の優先度が変更されるとそれに応じて他の表示優先項目の優先度も変更させることができ、複数の表示優先項目を考慮した検索を行う際、容易にユーザの嗜好を反映した優先度を設定することができるという効果を奏する。また、この発明によれば、複数条件について重み付けをして検索する場合、条件の割合を容易に変更することができるという効果を奏する。
【００３１】
また、この発明によれば、グラフは、表示優先項目の数に応じた多角形のレーダチャートであるので、表示の優先度をレーダチャートの値を変えることにより反映させることができるため、ユーザが優先度の変更を把握しやすいという効果を奏する。
【００３２】
また、この発明によれば、１つの表示優先項目の優先度が入力部を介して変更された場合、当該変更に基づいて当該変更された表示優先項目の優先度以外の他の表示優先項目の優先度を決定するので、１つの表示優先項目の優先度の変更に基づいて他の表示優先項目の優先度を自動調整することができるという効果を奏する。
【００３３】
また、この発明によれば、複数の表示優先項目の優先度が入力部を介して一緒に変更された場合、当該変更に基づいて当該変更された表示優先項目の優先度以外の他の表示優先項目の優先度を決定するので、幾つかの表示優先項目の優先度の同時に行われた変更に基づいて他の表示優先項目の優先度を自動調整することができるという効果を奏する。
【００３４】
また、この発明によれば、表示優先項目の優先度に対する所定の固定化操作が入力部を介して入力された場合、固定化操作がなされた当該表示優先項目の当該優先度を変更させないので、ユーザは一つまたは複数の表示優先項目の優先度を固定化しながら、他の表示優先項目の優先度を変更することができるという効果を奏する。
【００３５】
また、この発明によれば、固定化操作は、ダブルクリックであるので、ユーザが変更したくない表示優先項目以外の項目の優先度の変更に基づいて、当該変更したくない表示優先項目および当該項目以外の、他の表示優先項目の優先度を簡単な操作で自動調整することができるという効果を奏する。
【００３６】
また、この発明によれば、所定の初期化操作が入力部を介して入力された場合、各表示優先項目の優先度を、初期設定の優先度に変更するので、全ての優先度を均等な値等の初期設定値に簡単な操作で戻すことができるという効果を奏する。
【００３７】
また、この発明によれば、項目に対する指定操作が入力部を介して入力された場合、当該指定操作に基づき表示優先項目を変更し、表示優先項目の変更に基づいて、当該変更された表示優先項目以外の他の表示優先項目の優先度を決定するので、ユーザの嗜好を反映した表示優先項目の増減を容易に行うことができ、当該増減に基づいて他の表示優先項目の優先度も自動調整することができるという効果を奏する。
【００３８】
また、この発明によれば、グラフは、当該グラフ中で配置が隣接する表示優先項目の優先度を連動させる線分を含み、線分に対する移動操作が入力部を介して入力された場合、当該移動操作に基づき線分で結ばれた表示優先項目の優先度を連動して変更させ、線分で結ばれた表示優先項目の優先度が連動して変更された場合、当該変更された表示優先項目以外の他の表示優先項目の優先度を決定するので、複数の表示優先項目の優先度を簡単な操作で変更することができるという効果を奏する。
【００３９】
また、この発明によれば、入力部は、タッチパネルであるので、ユーザが直感的な操作を優先度の変更に反映させることができるという効果を奏する。
【００４０】
また、この発明によれば、所定の補正処理により、決定された表示優先項目の優先度に対する補正値を算出し、当該優先度および当該補正値を相互に変換し、算出された補正値、または、相互に変換された優先度もしくは補正値に基づきグラフの表示を変更した表示画面を表示部に表示させるので、グラフ表示をユーザにとってより視認性の高いものにすることができるという効果を奏する。
【００４１】
また、この発明によれば、検索条件を満たすナビゲーション情報を取得し、取得されたナビゲーション情報と優先度とに基づき、ナビゲーション情報の表示優先度を決定し、決定された表示優先度に基づき、取得されたナビゲーション情報に基づく表示画面を表示部に表示させるので、表示優先項目の優先度を反映した検索結果を表示することができ、ユーザの嗜好を反映した検索結果を提供することができるという効果を奏する。
【００４２】
また、この発明によれば、ナビゲーション情報に基づく表示画面が表示部に表示された場合であって、表示優先項目の優先度が入力部を介して変更された場合、当該変更に基づいて当該変更された表示優先項目の優先度以外の他の表示優先項目の優先度を決定し、取得されたナビゲーション情報と、入力部を介して変更された表示優先項目の優先度、および、決定された表示優先項目の優先度とに基づき、ナビゲーション情報の表示優先度を決定し、更に、決定された表示優先度に基づき、取得されたナビゲーション情報に基づく表示画面を表示部に再表示させるので、検索結果表示をユーザの状況や嗜好に応じて変更させることができるという効果を奏する。
【００４３】
また、この発明によれば、ナビゲーション情報は、ＰＯＩ情報であるので、レストラン等のユーザの興味のある場所を検索結果として提供することができるという効果を奏する。
【００４４】
また、この発明によれば、ナビゲーション情報は、案内経路データであるので、スタート地点と目的地点とを固定した複数の経路のうち、ユーザにより変更等された時間、距離、および料金等の表示優先項目の優先度に基づいて案内経路を提供することができるという効果を奏する。
【００４５】
なお、上記において、本発明の検索装置を一例に効果の説明をしたが、検索システム、ナビゲーションサーバ、検索方法、および、プログラムにおいても同様の効果を奏する。
【図面の簡単な説明】
【００４６】
【図１】図１は、第１の実施形態における検索システムの構成の一例を示すブロック図である。
【図２】図２は、第１の実施形態における検索システムの処理の一例を示すフローチャートである。
【図３】図３は、本実施形態における表示画面の一例を示す図である。
【図４】図４は、本実施形態における表示優先項目の優先度の棒グラフ表示の一例を示す図である。
【図５】図５は、本実施形態における表示画面の一例を示す図である。
【図６】図６は、本実施形態におけるレーダチャートの表示変更の一例を示す図である。
【図７】図７は、本実施形態における優先度の補正の一例を示すグラフである。
【図８】図８は、本実施形態における優先度の補正の一例を示すグラフである。
【図９】図９は、本実施形態における表示優先度算出処理の一例を示す図である。
【図１０】図１０は、第２の実施形態におけるナビゲーションサーバの構成の一例を示すブロック図である。
【図１１】図１１は、第２の実施形態におけるナビゲーションサーバの処理の一例を示すフローチャートである。
【図１２】図１２は、第３の実施形態における検索装置の構成の一例を示すブロック図である。
【図１３】図１３は、第３の実施形態における検索装置の処理の一例を示すフローチャートである。
【発明を実施するための形態】
【００４７】
以下に、本発明にかかる検索システム、端末装置、ナビゲーションサーバ、検索装置、検索方法、および、プログラムの実施の形態を図面に基づいて詳細に説明する。なお、この実施の形態によりこの発明が限定されるものではない。
【００４８】
以下、本発明の構成および処理について、第１の実施形態（検索システム）、第２の実施形態（ナビゲーションサーバ（サーバ主導型））、第３の実施形態（検索装置（スタンドアローン型））の順にて詳細に説明する。
【００４９】
［第１の実施形態］
最初に、本発明の第１の実施形態（検索システム）について、図１から図９を参照して以下に説明する。
【００５０】
［検索システムの構成］
まず、第１の実施形態における検索システムの構成の一例について、図１を参照して以下に説明する。ここで、図１は、第１の実施形態における検索システムの構成の一例を示すブロック図であり、該構成のうち本発明に関係する部分のみを概念的に示している。なお、本実施形態においては、通信型のナビゲーション情報を提供する検索システムを具体例として説明するが、本発明はこれに限ることなく、スタンドアローンタイプの検索システムなどにも適用可能である。
【００５１】
図１に示すように、第１の実施形態の検索システムは、概略的に、ナビゲーション情報提供および経路探索等を行うことができるナビゲーションサーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これら検索システムの各部は任意の通信路を介して通信可能に接続されている。
【００５２】
図１に示すように、第１の実施形態の検索システムにおいて、ナビゲーションサーバ２００は、概略的に、制御部２０２と記憶部２０６とを少なくとも備えており、端末装置１００は、位置取得部１１２と出力部（表示部１１４および音声出力部１１８）と入力部１１６と制御部１０２と記憶部１０６とを少なくとも備える。
【００５３】
［ナビゲーションサーバ２００の構成］
ここで、図１において、ナビゲーションサーバ２００は、端末装置１００から送信されるナビゲーション情報の検索条件を受信し、検索条件を満たすナビゲーション情報を取得し、少なくともナビゲーション情報を端末装置１００に送信する等の機能を有する。ナビゲーションサーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、ナビゲーションサーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（ネットワークデータベース２０６ａ、ナビゲーション情報データベース２０６ｂ、および、地図データベース２０６ｃ等）を格納する。
【００５４】
これら記憶部２０６の各構成要素のうち、ネットワークデータベース２０６ａは、交通網を規定するネットワークデータを記憶するネットワークデータ記憶手段である。ここで、ネットワークデータベース２０６ａに記憶されるネットワークデータは、道路ネットワークデータ、路線網ネットワークデータ、および、施設内ネットワークデータを含んでいてもよい。これらネットワークデータは、ネットワークデータベース２０６ａに予め記憶されており、ナビゲーションサーバ２００の制御部２０２は、定期的にネットワーク３００を介して最新のデータを外部機器（例えば、地図データを提供する地図提供サーバなど）等からダウンロードしてネットワークデータベース２０６ａに記憶されたネットワークデータをアップデートしてもよい。
【００５５】
ここで、ネットワークデータベース２０６ａに記憶される道路ネットワークデータは、道路網を規定するネットワークデータであり、例えば、交差点等の道路網表現上の結節点であるノードのノードデータと、ノード間の道路区間であるリンクのリンクデータとの組み合わせによって表現されるネットワークデータである。ここで、ノードデータには、ノード番号（例えば、ノードＩＤ等）、ノードの名称、緯度経度高度等の位置座標、ノード種別、接続するリンク本数、接続ノード番号、および、交差点名称等の情報を含んでいてもよい。また、リンクデータには、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、専用通行帯、路線バス等優先通行帯、車両通行区分、および、進行方向別通行区分などについての車両通行帯情報等）、制限速度、高架やトンネルや橋等のリンク内属性、および、名称等の情報を含んでいてもよい。また、道路ネットワークデータは、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワークデータは、自動車、オートバイ、自転車、および、徒歩等で移動する場合の経路上に存在する施設等の緯度経度情報などの位置情報等を記憶してもよい。
【００５６】
また、道路ネットワークデータは、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。これら道路交通情報は、ネットワークデータベース２０６ａに予め記憶されており、ナビゲーションサーバ２００の制御部２０２は、定期的（例えば、５分毎等）にネットワーク３００を介して最新のデータを外部システム（例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）、および、ＡＴｉＳ（Ａｄｖａｎｃｅｄ  Ｔｒａｆｆｉｃ  Ｉｎｆｏｒｍａｔｉｏｎ  Ｓｅｒｖｉｃｅ）（登録商標）、日本道路交通情報センター（ＪＡＲＴＩＣ）（登録商標）など）等からダウンロードしてネットワークデータベース２０６ａに記憶された道路交通情報をアップデートしてもよい。
【００５７】
また、ネットワークデータベース２０６ａに記憶される路線網ネットワークデータは、鉄道、飛行機、バス、および、船等の各交通機関（例えば、公共交通機関等）の路線網を規定するネットワークデータであり、例えば、路線網表現上の結節点であるノード（例えば、交通機関の停留地点である駅、停留場、停車場、停留所、空港、港、および、ターミナル等）のノードデータと、ノード間を接続する鉄道路線、航空路線、航路、および、バス路線等のリンクのリンクデータとの組み合わせによって表現されるネットワークデータである。ここで、鉄道とは、ルート上に設置された固定式案内路（レール、案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノードデータには、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置座標等の情報を含んでいてもよい。また、リンクデータには、リンク番号（例えば、リンクＩＤ等）、開始ノードＩＤ、終了ノードＩＤ、種別、リンク長（例えば、距離等）、高架、トンネルおよび橋等のリンク内属性、ならびに、名称（例えば、路線名など）等の情報を含んでいてもよい。
【００５８】
また、路線網ネットワークデータは、交通機関の時刻表データを含んでいてもよい。ここで、時刻表データは、鉄道、飛行機、バス、および、船等の各交通機関の時刻表を表す情報である。また、時刻表データは、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。また、時刻表データは、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表データは、交通機関の路線上のノードを結ぶ区間（例えば、一つまたは複数のリンク等）毎に対応付けられた交通機関の属性情報（例えば、種別および行先情報等）を含んでいてもよい。
【００５９】
また、路線網ネットワークデータは、交通機関の利用料金データを含んでいてもよい。ここで、利用料金データは、例えば、鉄道、飛行機、バス、および、船等の各交通機関を利用した場合に生じる利用料金等を表す情報等であってもよい。また、路線網ネットワークデータは、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。また、路線網ネットワークデータは、鉄道運行情報、航空運行情報、船舶運行情報、および、バス運行情報等の各交通機関の運行情報を含んでいてもよい。これら各交通機関の運行情報は、ネットワークデータベース２０６ａに予め記憶されており、ナビゲーションサーバ２００の制御部２０２は、定期的にネットワーク３００を介して最新のデータを外部システム等からダウンロードしてネットワークデータベース２０６ａに記憶された各交通機関の運行情報をアップデートしてもよい。
【００６０】
また、ネットワークデータベース２０６ａに記憶される施設内ネットワークデータは、施設内の経路網を規定するネットワークデータである。ここで、ネットワークデータベース２０６ａに記憶される施設内ネットワークデータは、例えば、建造物内の店舗、会社、事務所、トイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードのノードデータと、ノード間を接続する通路、階段、動く歩道、エスカレータ、および、エレベータ等であるリンクのリンクデータとの組み合わせによって表現されるネットワークデータである。
【００６１】
ここで、ノードデータには、ノード番号（例えば、ノードＩＤ等）、ノードの名称（出入口名および乗降口名等）、緯度経度高度等の位置座標、ノード種別（例えば、出入口、乗降口、通路の曲がり角、および通路の分岐点等）、接続するリンク本数、および、接続ノード番号等の情報を含んでいてもよい。また、リンクデータには、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００６２】
また、ナビゲーション情報データベース２０６ｂは、属性を示す項目を複数含むナビゲーション情報を記憶するナビゲーション情報記憶手段である。ここで、ナビゲーション情報は、ＰＯＩ情報であってもよい。また、ナビゲーション情報は、案内経路データであってもよい。
【００６３】
ここで、ナビゲーション情報データベース２０６ｂに記憶されたＰＯＩ情報は、ＰＯＩについての属性を示す項目を複数含む情報である。ここで、属性とは、例えば、ＰＯＩの名称、種別（カテゴリ）、住所、電話番号、ＵＲＬ、営業時間、取扱商品、平均価格（例えば、平均使用料金など）、評判、ランキング、急上昇、立ち寄りやすさ、レコメンドスコア、写真データ、クーポン情報、口コミ（例えば、口コミ評価およびユーザコメントなど）、使用条件、使用可能性、施設規模、ＰＯＩの緯度経度高度、ＰＯＩの存在する地点の立地（都市部、郊外、港湾部および駅周辺など）、用途制限、ＰＯＩ  ＩＤ、当該ＰＯＩ情報へのアクセス回数またはアクセス頻度等の参照率、および、当該ＰＯＩ情報の更新日時等であってもよい。ここで、レコメンドスコアとは、利用者や他のユーザのユーザ情報および履歴情報等から自動的にお勧め度合いが算出された値であってもよい。
【００６４】
ここで、ＰＯＩとは、ｐｏｉｎｔ  ｏｆ  ｉｎｔｅｒｅｓｔの略称であり、例えば、便利な場所や興味のある場所などとして人が知覚する特定の地点や施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、および、ホテルや旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、競馬場等であってもよい。また、屋外施設は、バスターミナル、公園、遊園地、キャンプ場、連絡通路、屋外駐車場、および、動物園等であってもよい。また、ナビゲーション情報データベース２０６ｂは、ＰＯＩに対応したアイコンを記憶していてもよい。これらＰＯＩ情報は、ナビゲーション情報データベース２０６ｂに予め記憶されており、ナビゲーションサーバ２００の制御部２０２は、定期的にネットワーク３００を介して最新のデータを外部機器（例えば、ＰＯＩ情報を提供する施設情報提供サーバなど）等からダウンロードしてナビゲーション情報データベース２０６ｂに記憶されたＰＯＩ情報をアップデートしてもよい。
【００６５】
ナビゲーション情報データベース２０６ｂに記憶された案内経路データは、制御部２０２により生成された、検索条件（経路探索条件）を満たす出発地から目的地までの案内経路の案内経路データであってもよい。ここで、経路探索条件は、少なくとも出発地と目的地とを含んでいてもよい。また、経路探索条件は、更に、出発時刻または到着時刻を含んでいてもよい。ここで、出発時刻は、現在時刻であってもよい。また、経路探索条件は、更に、経由地および経由時刻を含んでいてもよい。
【００６６】
また、地図データベース２０６ｃは、地図の地図データを記憶する地図データ記憶手段である。ここで、地図データベース２０６ｃに記憶される地図データは、本発明において、例えば、縮尺に従ってメッシュ化された地図データ（例えば、ＪＩＳ規格の第１〜３次地域区画メッシュデータ、および、１００ｍメッシュデータ等）等の屋外地図データであってもよい。また、地図データベース２０６ｃは、全国および各地方の道路地図や路線図等の屋外地図データを記憶してもよい。また、地図データベース２０６ｃは、例えば、高さ情報を持つ建築物（例えば、立体駐車場、駅、デパート、および、学校等）に関するフロア案内地図等の屋内地図データを更に記憶してもよい。
【００６７】
また、地図データベース２０６ｃに記憶される地図データは、地図上に表示される地物（例えば、ビルや住宅や駅等の建造物、道路、線路、橋、トンネル、等高線、海岸線や湖岸線等の水涯線、海、河川、湖、池、沼、公園や屋外施設等の場地、行政界、行政区域、および、街区等）の形状についての形状データ、地図上に表示される注記（例えば、地名、住所、電話番号、店や公園や駅等の施設名称、名所や旧跡や河川や湖や湾や山や森林等の俗称を含む名称、道路や橋やトンネル等の名称、路線名称、地点情報、および、口コミ情報等）の注記データ、および、地図上に表示される記号（例えば、山、史跡、寺社、学校、病院、工場および墓地等の地図記号、ガソリンスタンド、コンビニエンスストア、スーパーマーケット、レストラン、銀行および郵便局等の店舗記号、道路上の信号、有料道路の出入口、料金所、サービスエリア、パーキングエリアおよびインターチェンジ等の記号、駐車場、駅、ホテル、美術館および博物館等の施設記号、ならびに、口コミ地点記号等）の記号データ等のデータを含んでいてもよい。
【００６８】
また、地図データベース２０６ｃに記憶される屋内地図データは、施設等の構内における屋内経路についての構内経路データを含んでいてもよい。ここで、構内経路データとは、駅等の構内における移動経路データと、当該移動経路を含む地図（施設案内図）の地図データと、に少なくとも基づくデータであってもよい。例えば、構内経路データは、施設案内図に移動経路が引いてある画像データであってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００６９】
また、屋外地図データおよび屋内地図データは、ラスタ形式、ベクタ形式等の地図描画用の画像データであってもよい。これら屋外地図データおよび屋内地図データは、地図データベース２０６ｃに予め記憶されており、ナビゲーションサーバ２００の制御部２０２は、定期的にネットワーク３００を介して最新のデータを外部機器（例えば、地図データを提供する地図提供サーバなど）等からダウンロードして地図データベース２０６ｃに記憶された屋外地図データおよび屋内地図データをアップデートしてもよい。
【００７０】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、検索条件受信部２０２ａ、案内経路探索部２０２ｂ、ナビゲーション情報取得部２０２ｃ、および、ナビゲーション情報送信部２０２ｄを備える。
【００７１】
このうち、検索条件受信部２０２ａは、端末装置１００から送信されるナビゲーション情報の検索条件を受信する検索条件受信手段である。ここで、検索条件は、ＰＯＩ情報を特定するため条件であってもよく、例えば、ＰＯＩの名称、立地、利用目的、提供料理を含む取扱商品、および、ジャンル等の情報であってもよい。また、検索条件は、経路探索のための経路探索条件であってもよく、例えば、出発地、目的地、経由地、出発時刻、到着時刻、および、経由時刻等の情報であってもよい。ここで、出発時刻は、現在時刻であってもよい。また、出発地は、端末装置１００の利用者の現在位置であってもよい。
【００７２】
また、案内経路探索部２０２ｂは、検索条件を満たす出発地から目的地までの案内経路を探索し、案内経路データを生成する案内経路探索手段である。ここで、案内経路探索部２０２ｂは、更に、生成した案内経路データをナビゲーション情報としてナビゲーション情報データベース２０６ｂに格納してもよい。また、案内経路探索部２０２ｂは、少なくとも出発地と目的地とを含む経路探索条件を満たす出発地から目的地までの案内経路を、ネットワークデータベース２０６ａに記憶されたネットワークデータを用いて探索し、案内経路データを生成してもよい。また、案内経路探索部２０２ｂは、少なくとも出発地と目的地と出発時刻または到着時刻とを含む経路探索条件を満たす出発地から目的地までの案内経路を、ネットワークデータベース２０６ａに記憶されたネットワークデータを用いて探索し、案内経路データを生成してもよい。ここで、出発時刻は、現在時刻であってもよい。また、経路探索条件は、端末装置１００の利用者により入力部１１６を介して入力されたものであってもよい。また、経路探索条件に経由地が更に含まれている場合、案内経路探索部２０２ｂは、経由地を経由した案内経路を探索してもよい。また、経路探索条件に経由地および経由時刻が更に含まれている場合、案内経路探索部２０２ｂは、出発地と目的地と経由地と経由時刻とを含む経路探索条件を満たす出発地から目的地までの経由地を経由した経路である案内経路を探索してもよい。
【００７３】
また、ナビゲーション情報取得部２０２ｃは、検索条件を満たすナビゲーション情報を取得するナビゲーション情報取得手段である。ここで、ナビゲーション情報取得部２０２ｃは、検索条件を満たすナビゲーション情報をナビゲーション情報データベース２０６ｂから抽出して取得してもよい。ここで、ナビゲーション情報取得部２０２ｃは、例えば、検索条件を満たすＰＯＩ情報をナビゲーション情報データベース２０６ｂから抽出して取得してもよい。また、ナビゲーション情報取得部２０２ｃは、例えば、案内経路探索部２０２ｂにより生成されてナビゲーション情報データベース２０６ｂに格納された、経路探索条件を満たす出発地から目的地までの案内経路の案内経路データをナビゲーション情報データベース２０６ｂから抽出して取得してもよい。
【００７４】
また、ナビゲーション情報送信部２０２ｄは、少なくともナビゲーション情報を端末装置１００に送信するナビゲーション情報送信手段である。ここで、ナビゲーション情報は、ナビゲーション情報取得部２０２ｃにより取得されたナビゲーション情報であってもよい。また、ナビゲーション情報送信部２０２ｄは、更に、ナビゲーション情報に基づく、地図データベース２０６ｃに記憶された地図データを端末装置１００に送信してもよい。具体的には、ナビゲーション情報送信部２０２ｄは、更に、ナビゲーション情報に含まれるＰＯＩ情報に基づくＰＯＩの所在地を含む地図の、地図データベース２０６ｃに記憶された、地図データを端末装置１００に送信してもよい。また、ナビゲーション情報送信部２０２ｄは、更に、ナビゲーション情報に含まれる案内経路データに基づく案内経路を含む地図の、地図データベース２０６ｃに記憶された、地図データを端末装置１００に送信してもよい。
【００７５】
［端末装置１００の構成］
また、図１において、端末装置１００は、ナビゲーション情報に含まれる項目のうち、ナビゲーション情報を表示する際の優先順位の決定に用いる項目を表示優先項目として設定し、設定された複数の上記表示優先項目の優先度がグラフとして表示された、当該優先度を入力するための表示画面を表示部１１４に表示させ、入力部１１６を介して表示部１１４を用いて入力された表示優先項目の優先度に基づいて、当該入力された表示優先項目の優先度以外の表示優先項目の優先度を決定し、入力部１１６を介して入力された表示優先項目の優先度、および、決定された表示優先項目の優先度に基づいて、グラフの表示を変更した表示画面を表示部１１４に表示させる等の機能を有する。端末装置１００は、例えば、一般に市販されるデスクトップ型またはノート型のパーソナルコンピュータ等の情報処理装置、携帯電話やＰＨＳやＰＤＡ等の携帯端末装置、および、走行経路案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置取得が行えるよう、ＧＰＳ機能やＩＭＥＳ機能等を有する位置取得部１１２を備えている。また、端末装置１００は、表示部１１４と音声出力部１１８とを少なくとも含む出力部を備えている。
【００７６】
ここで、表示部１１４は、アプリケーション等の表示画面を表示する表示手段（例えば、液晶または有機ＥＬ等から構成されるディスプレイおよびモニタ等）である。また、音声出力部１１８は、音声データを音声として出力する音声出力手段（例えば、スピーカ等）である。また、端末装置１００は、検索条件の入力等を行う入力部１１６（例えば、キー入力部、タッチパネル、キーボード、およびマイク等）を備えている。また、入出力制御インターフェース部１０８は、位置取得部１１２、表示部１１４、入力部１１６、および、音声出力部１１８等の制御を行う。
【００７７】
ここで、位置取得部１１２は、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００７８】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。
【００７９】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、端末装置１００の絶対走行方位を検出する地磁気センサおよび端末装置１００の相対走行方位を検出する光ジャイロ等が使用されてもよい。また、方位センサは、地磁気センサと加速度センサを組み合わせることで方位や傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００８０】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００８１】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、ナビゲーションサーバ２００等と通信回線を介してデータを通信する機能を有している。また、ネットワーク３００は、端末装置１００およびナビゲーションサーバ２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００８２】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ナビゲーション情報ファイル１０６ａ等）を格納してもよい。ここで、記憶部１０６は、各種のファイル等を一時的に記憶するものであってもよい。
【００８３】
このうち、ナビゲーション情報ファイル１０６ａは、ナビゲーション情報を記憶するナビゲーション情報記憶手段である。ここで、ナビゲーション情報は、予めナビゲーション情報ファイル１０６ａに記憶されていたものであってもよく、ナビゲーションサーバ２００から受信してナビゲーション情報ファイル１０６ａに格納したものであってもよい。
【００８４】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、表示優先項目設定部１０２ｂ、入力画面表示部１０２ｃ、固定化部１０２ｄ、初期化部１０２ｅ、項目変更部１０２ｆ、連動変更部１０２ｇ、優先度決定部１０２ｈ、補正値算出部１０２ｉ、検索条件送信部１０２ｊ、ナビゲーション情報受信部１０２ｋ、表示優先度決定部１０２ｍ、変更表示部１０２ｎ、および、経路案内部１０２ｐを備える。
【００８５】
ここで、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間（所定周期）ごと（例えば、１秒ごと、３分ごと等）に取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、位置取得部１１２の方位センサ等にて検出した端末装置１００の進行方向等の方位情報を端末装置１００の利用者の現在位置情報として取得してもよい。
【００８６】
また、現在位置情報取得部１０２ａは、利用者により入力部１１６を介して入力された現在位置についての位置座標等の位置情報を端末装置１００の利用者の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、入力部１１６を介して利用者に表示部１１４に表示された地図データの表示画面上で指定（例えば、タッチパネル式の表示部１１４での指定操作等）させた座標を端末装置１００の利用者の現在位置情報として取得してもよい。また、現在位置情報取得部１０２ａは、更に、入力部１１６を介して利用者に表示部１１４に表示された地図データの表示画面上で指定させた方位情報を端末装置１００の利用者の現在位置情報として取得してもよい。
【００８７】
また、表示優先項目設定部１０２ｂは、ナビゲーション情報に含まれる項目のうち、ナビゲーション情報を表示する際の優先順位の決定に用いる項目を表示優先項目として設定する表示優先項目設定手段である。ここで、表示優先項目設定部１０２ｂは、ナビゲーション情報に含まれる項目のうち、入力部１１６を介して指定された項目を表示優先項目として設定してもよい。また、表示優先項目設定部１０２ｂは、ナビゲーション情報に含まれる項目のうち、初期設定表示優先項目（デフォルト表示優先項目）として予め設定された項目を表示優先項目として設定してもよい。
【００８８】
また、入力画面表示部１０２ｃは、表示優先項目設定部１０２ｂにより設定された複数の表示優先項目の優先度がグラフとして表示された、当該優先度を入力するための表示画面を表示部１１４に表示させる入力画面表示手段である。ここで、グラフは、表示優先項目の数に応じた多角形のレーダチャートであってもよい。また、グラフは、棒グラフであってもよい。また、グラフは、当該グラフ中で配置が隣接する表示優先項目の優先度を連動させる線分を含んでいてもよい。
【００８９】
また、固定化部１０２ｄは、表示優先項目の優先度に対する所定の固定化操作が入力部１１６を介して入力された場合、固定化操作がなされた当該表示優先項目の当該優先度を変更させない固定化手段である。ここで、固定化操作は、ダブルクリックであってもよい。
【００９０】
また、初期化部１０２ｅは、所定の初期化操作が入力部１１６を介して入力された場合、各表示優先項目の優先度を、初期設定の優先度に変更する初期化手段である。
【００９１】
また、項目変更部１０２ｆは、項目に対する指定操作が入力部１１６を介して入力された場合、当該指定操作に基づき表示優先項目を変更する項目変更手段である。ここで、項目変更部１０２ｆは、表示優先項目として設定された項目に対する指定操作が入力部１１６を介して入力された場合、当該項目の表示優先項目とする設定を解除してもよい。また、項目変更部１０２ｆは、表示優先項目として設定されていない項目に対する指定操作が入力部１１６を介して入力された場合、当該項目を表示優先項目として新たに加えて設定してもよい。
【００９２】
また、連動変更部１０２ｇは、グラフ中で配置が隣接する表示優先項目の優先度を連動させる線分に対する移動操作が入力部１１６を介して入力された場合、当該移動操作に基づき線分で結ばれた表示優先項目の優先度を連動して変更させる連動変更手段である。ここで、連動変更部１０２ｇは、グラフ中で配置が隣接する表示優先項目の優先度を連動させる線分に対する移動操作が入力部１１６を介して入力された場合、当該移動操作に基づく同一の増減量または増減率により線分で結ばれた表示優先項目の優先度を連動して変更させてもよい。
【００９３】
また、優先度決定部１０２ｈは、入力部１１６を介して表示部１１４を用いて入力された表示優先項目の優先度に基づいて、当該入力された表示優先項目の優先度以外の表示優先項目の優先度を決定する優先度決定手段である。ここで、優先度決定部１０２ｈは、１つの表示優先項目の優先度が入力部１１６を介して変更された場合、当該変更に基づいて当該変更された表示優先項目の優先度以外の他の表示優先項目の優先度を決定してもよい。また、優先度決定部１０２ｈは、複数の表示優先項目の優先度が入力部１１６を介して一緒に変更された場合、当該変更に基づいて当該変更された表示優先項目の優先度以外の他の表示優先項目の優先度を決定してもよい。また、優先度決定部１０２ｈは、項目変更部１０２ｆによる表示優先項目の変更に基づいて、当該変更された表示優先項目以外の他の表示優先項目の優先度を決定してもよい。また、優先度決定部１０２ｈは、連動変更部１０２ｇにより線分で結ばれた表示優先項目の優先度が連動して変更された場合、当該変更された表示優先項目以外の他の表示優先項目の優先度を決定してもよい。また、優先度決定部１０２ｈは、制御部１０２によりナビゲーション情報に基づく表示画面が表示部１１４に表示された場合であって、表示優先項目の優先度が入力部１１６を介して変更された場合、当該変更に基づいて当該変更された表示優先項目の優先度以外の他の表示優先項目の優先度を決定してもよい。
【００９４】
また、補正値算出部１０２ｉは、所定の補正処理により、優先度決定部１０２ｈにより決定された表示優先項目の優先度に対する補正値を算出し、当該優先度および当該補正値を相互に変換する補正値算出手段である。
【００９５】
また、検索条件送信部１０２ｊは、ナビゲーション情報の検索条件をナビゲーションサーバ２００に送信する検索条件送信手段である。ここで、検索条件は、端末装置１００の利用者により入力部１１６を介して入力された条件であってもよい。
【００９６】
また、ナビゲーション情報受信部１０２ｋは、ナビゲーションサーバ２００から送信されるナビゲーション情報を受信するナビゲーション情報受信手段である。ここで、ナビゲーション情報受信部１０２ｋは、更に、受信したナビゲーション情報をナビゲーション情報ファイル１０６ａに格納してもよい。ここで、ナビゲーション情報受信部１０２ｋは、ナビゲーション情報ファイル１０６ａに既存のナビゲーション情報が記憶されている場合、新たに設定されたナビゲーション情報を、既存のナビゲーション情報に上書きして格納してもよい。また、ナビゲーション情報受信部１０２ｋは、更に、ナビゲーションサーバ２００から送信されるナビゲーション情報に基づく地図データを受信してもよい。具体的には、ナビゲーション情報受信部１０２ｋは、更に、ナビゲーションサーバ２００から送信されるナビゲーション情報に含まれるＰＯＩ情報に基づくＰＯＩの所在地を含む地図の地図データを受信してもよい。また、ナビゲーション情報受信部１０２ｋは、更に、ナビゲーションサーバ２００から送信されるナビゲーション情報に含まれる案内経路データに基づく案内経路を含む地図の地図データを受信してもよい。
【００９７】
また、表示優先度決定部１０２ｍは、ナビゲーション情報受信部１０２ｋにより受信されたナビゲーション情報と優先度とに基づき、ナビゲーション情報の表示優先度（スコア）を決定する表示優先度決定手段である。ここで、表示優先度決定部１０２ｍは、ナビゲーション情報受信部１０２ｋにより受信されたナビゲーション情報と、入力部１１６を介して変更された表示優先項目の優先度、および、優先度決定部１０２ｈにより決定された表示優先項目の優先度とに基づき、ナビゲーション情報の表示優先度を決定してもよい。
【００９８】
また、変更表示部１０２ｎは、入力部１１６を介して入力された表示優先項目の優先度、および、優先度決定部１０２ｈにより決定された表示優先項目の優先度に基づいて、グラフの表示を変更した表示画面を表示部１１４に表示させる変更表示手段である。ここで、変更表示部１０２ｎは、補正値算出部１０２ｉにより算出された補正値、または、補正値算出部１０２ｉにより相互に変換された優先度もしくは補正値に基づきグラフの表示を変更した表示画面を表示部１１４に表示させてもよい。すなわち、変更表示部１０２ｎは、優先度決定部１０２ｈが決定した優先度を表示部１１４に表示する際、優先度決定部１０２ｈが決定した優先度をそのまま表示するのではなく、補正値算出部１０２ｉが補正した補正値を表示するようにしてもよい。また、変更表示部１０２ｎは、利用者により入力部１１６を介して入力された値に対し、補正値算出部１０２ｉにより逆補正された値に基づきグラフの表示を変更した表示画面を表示部１１４に表示させてもよい。これにより、利用者の視認性や操作性を向上させることができる。また、変更表示部１０２ｎは、更に、表示優先度決定部１０２ｍにより決定された表示優先度に基づき、ナビゲーション情報受信部１０２ｋにより受信されたナビゲーション情報に基づく表示画面を表示部１１４に表示させてもよい。また、変更表示部１０２ｎは、更に、ナビゲーション情報に基づく地図データの表示画面を表示部１１４に表示させてもよい。例えば、変更表示部１０２ｎは、更に、表示優先度決定部１０２ｍにより決定された表示優先度に基づき、ナビゲーション情報受信部１０２ｋにより受信された地図データ上に、ナビゲーション情報受信部１０２ｋにより受信されたナビゲーション情報を重畳した表示画面（検索結果表示）を表示部１１４に表示させてもよい。具体的には、変更表示部１０２ｎは、更に、表示優先度決定部１０２ｍにより決定された表示優先度に基づき、ナビゲーション情報に含まれる案内経路データに基づく案内経路を含む地図の地図データ上に、ナビゲーション情報に含まれる案内経路データを重畳した表示画面を表示部１１４に表示させてもよい。また、変更表示部１０２ｎは、更に、表示優先度決定部１０２ｍにより決定された表示優先度に基づき、ナビゲーション情報に含まれるＰＯＩ情報に基づくＰＯＩの所在地を含む地図の地図データ上に、ナビゲーション情報に含まれるＰＯＩ情報を重畳した表示画面を表示部１１４に表示させてもよい。また、変更表示部１０２ｎは、更に、現在位置情報取得部１０２ａにより取得される端末装置１００の利用者の現在位置情報に基づく表示画面を表示部１１４に表示させてもよい。また、変更表示部１０２ｎは、更に、表示優先度決定部１０２ｍにより決定された表示優先度に基づき、ナビゲーション情報受信部１０２ｋにより受信されたナビゲーション情報に基づく表示画面を表示部１１４に再表示させてもよい。
【００９９】
また、経路案内部１０２ｐは、ナビゲーション情報を出力部を介して出力させることにより、経路案内を実行する経路案内手段である。ここで、経路案内部１０２ｐは、ナビゲーション情報に基づく表示画面を表示部１１４に表示させることにより、経路案内を実行してもよい。例えば、経路案内部１０２ｐは、ナビゲーション情報に含まれる案内経路データに少なくとも基づく表示画面を表示部１１４に表示させてもよい。また、経路案内部１０２ｐは、更に、端末装置１００の利用者の現在位置情報を出力部を介して出力させてもよい。例えば、経路案内部１０２ｐは、地図データ上に、案内経路データ、および、端末装置１００の利用者の現在位置情報、を重畳した表示画面を表示部１１４に表示させてもよい。また、経路案内部１０２ｐは、ナビゲーション情報に基づく音声案内データを音声出力部１１８を介して出力させてもよい。例えば、経路案内部１０２ｐは、案内経路データに基づく案内経路上の分岐点等における進行方向等に対応付けられた音声案内データを、音声出力部１１８を介して出力させてもよい。
【０１００】
以上で、第１の実施形態における検索システムの構成の一例の説明を終える。
【０１０１】
［検索システムの処理］
次に、このように構成された第１の実施形態における検索システムの処理の一例について、以下に図２から図９を参照して詳細に説明する。図２は、第１の実施形態における検索システムの処理の一例を示すフローチャートである。
【０１０２】
図２に示すように、まず、端末装置１００の表示優先項目設定部１０２ｂは、利用者により入力部１１６を介して本発明を実装したアプリケーションが起動された場合、ナビゲーション情報に含まれる項目のうち、初期設定表示優先項目（デフォルト表示優先項目）としてアプリケーションに予め設定された、ナビゲーション情報を表示する際の優先順位の決定に用いる項目を表示優先項目として設定する（ステップＳＡ−１）。ここで、表示優先項目設定部１０２ｂは、ナビゲーション情報に含まれる項目のうち、利用者により入力部１１６を介して指定された項目を表示優先項目として設定してもよい。また、表示優先項目設定部１０２ｂは、ナビゲーション情報に含まれる項目のうち、当該アプリケーション前回終了時の表示優先項目を表示優先項目として設定してもよい。
【０１０３】
そして、端末装置１００の入力画面表示部１０２ｃは、表示優先項目設定部１０２ｂにより設定された複数の表示優先項目の優先度がグラフとして表示された、当該優先度を入力するための表示画面を表示部１１４に表示させる（ステップＳＡ−２）。ここで、グラフは、表示優先項目の数に応じた多角形のレーダチャートであってもよい。また、グラフは、棒グラフであってもよい。また、グラフは、当該グラフ中で配置が隣接する表示優先項目の優先度を連動させる線分を含んでいてもよい。
【０１０４】
ここで、図３乃至図５を参照して、本実施形態における表示画面の一例について説明する。図３および図５は、本実施形態における表示画面の一例を示す図である。図４は、本実施形態における表示優先項目の優先度の棒グラフ表示の一例を示す図である。
【０１０５】
図３は、表示優先項目の優先度に基づいて、種々のカテゴリ（例えば、ラーメン等）について検索する表示画面の一例である。図３に示すように、入力画面表示部１０２ｃは、表示優先項目設定部１０２ｂにより設定された３つの表示優先項目（評判、低価格、および、近さ）の優先度がレーダチャートとして入力画面エリアＡＲ２に表示された、当該優先度を入力するための表示画面が表示部１１４に表示させている。ここで、レーダチャートは、ユーザが指で値を操作可能なグラフであってもよい。
【０１０６】
ここで、図３に示すように、入力画面エリアＡＲ２に表示されたレーダチャートは、複数の表示優先項目の優先度に対応する優先ポイント（補正値）の入力手段を含んでおり、レーダチャート中に３つ設定されたＰＯＩの表示優先項目（ＩＴＥＭ  Ａ：評判、ＩＴＥＭ  Ｂ：低価格、および、ＩＴＥＭ  Ｃ：近さ）の優先ポイント（ＰＡ、ＰＢ、および、ＰＣ）は、利用者により入力部１１６を介して移動されることにより優先ポイントの値を入力（変更）させることができる。ここで、優先ポイントの値は、補正値算出部１０２ｉにより、表示優先項目の優先度に変更されてもよい。また、表示優先項目ＩＴＥＭ  Ｃである「近さ」とは、入力画面エリアＡＲ４に表示された地図の中心や利用者が別途指定した地点からの距離もしくは到達時間の長さ、予め入力した目的地までの案内経路などのポリラインからの距離、または、予め入力した目的地までのＰＯＩを経由した案内経路の距離もしくは所要時間等であってもよい。また、レーダチャート中で配置が隣接する表示優先項目の優先ポイントを連動させる線分（ＬＡ、ＬＢ、および、ＬＣ）は、利用者が入力部１１６を介して移動させた場合、連動変更部１０２ｇにより接続する優先ポイントを同時に移動させることができ、複数の表示優先項目の割合を同様の割合や量で変更させることができる（例えば、押したり引いたりすることにより、当該線分の両端点の優先ポイントの位置を変更させる）。ここで、連動させる線分は、線分上の指定位置に近い表示優先項目を大きく変化するようにしてもよい。これにより、線分１つだけ指定して、複数の表示優先項目の割合を操作で変更させることができるので、簡易に複数の表示優先項目の優先ポイントを変更することができる。利用者が入力部１１６を介してＰＡ、ＰＢ、ＰＣ、ＬＡ、ＬＢ、および／または、ＬＣをドラッグアンドドロップすることでＰＡ、ＰＢ、ＰＣ、ＬＡ、ＬＢ、および／または、ＬＣの値を変更できるようにしてもよい。これにより、利用者は入力部１１６を介して、表示部１１４に表示されたＰＡ、ＰＢ、ＰＣ、ＬＡ、ＬＢ、および／または、ＬＣを直感的に制御できるようになるため、利用者の利便性が向上する。
【０１０７】
また、レーダチャート中の中心ボタン（ＣＢ）は、中心ボタンを利用者により入力部１１６を介して押下（例えば、クリックまたは長押し等）された場合、優先ポイントをデフォルトの優先度（例えば、各優先度が均等となる値（均等値）など）に対応する位置に戻すことができる。これにより、簡易に複数の表示優先項目を元の値に変更できる。また、優先ポイントに対する所定の固定化操作が連続的に利用者により入力部１１６を介して入力され、他の表示優先項目の優先ポイントが利用者により入力部１１６を介して移動された場合、連続的に固定操作された（押し続けられた）項目の優先ポイントは変動しないようにすることができる。これにより、一部の表示優先項目を変更させずに、他の表示優先項目を変更させることができる。また、ある表示優先項目をダブルクリック等の固定化操作が利用者により入力部１１６を介して入力された場合、当該表示優先項目の優先ポイントを固定させることができる。これにより、一部の表示優先項目を変更させずに、他の表示優先項目を変更させることができる。ここで、図３においては、表示優先項目として、ＰＯＩの検索の例を説明しているが、検索の種類により、異なる表示優先項目を選択するようにしてもよい。例えば、同一のスタート地点と目的地点に対する案内経路の探索をする場合、表示優先項目として時間、距離、燃費、および、有料料金等が設定されてもよい。指定した優先度での経路探索結果を表示部１１４に表示することにより、利用者は希望する経路の探索を容易に行えるようになり、利便性が向上する。また、口コミの検索をする場合、表示優先項目として指定文字列のヒット率、口コミ対象や口コミ記述者の人気、および、最終更新からの経過時間等が設定されてもよい。これにより、利用者は所望する口コミの検索を容易に行うことができるようになり、利用者の利便性が向上する。
【０１０８】
また、図３に示すように、入力画面エリアＡＲ３には、入力画面エリアＡＲ２に表示された表示優先項目（ＩＴＥＭ  Ａ、ＩＴＥＭ  Ｂ、および、ＩＴＥＭ  Ｃ）以外のナビゲーション情報に含まれる項目（ＩＴＥＭ  Ｄ：ランキング、ＩＴＥＭ  Ｆ：急上昇、および、ＩＴＥＭ  Ｇ：レコメンド）が表示されている。ここで、入力画面エリアＡＲ３内の項目が入力画面エリアＡＲ２へフリック入力またはドラッグアンドドロップされた場合、当該項目が入力画面エリアＡＲ２の表示優先項目として追加される。また、入力画面エリアＡＲ２の表示優先項目が入力画面エリアＡＲ３へフリック入力またはドラッグアンドドロップされた場合、入力画面エリアＡＲ２の表示優先項目が減り、入力画面エリアＡＲ３の項目として追加される。これにより、本実施形態において表示優先項目は、動的に項目数を変更することができる。従って、図３においては、入力画面エリアＡＲ３内のＩＴＥＭ  Ｄ、ＩＴＥＭ  Ｆ、およびＩＴＥＭ  Ｇを入力画面エリアＡＲ２へフリック入力またはドラッグアンドドロップすることにより、入力画面エリアＡＲ２に表示されるレーダチャートを７角形に拡張することが可能である。ここで、入力画面エリアＡＲ３に表示された項目は、ユーザにより変更できるようにしてもよい（例えば、クリックにより他の項目候補を提示等）。
【０１０９】
また、図４に示すように、入力画面表示部１０２ｃは、表示優先項目設定部１０２ｂにより設定された３つの表示優先項目（評判、低価格、および、近さ）の優先度が棒グラフとして入力画面エリアＡＲ２に表示された、当該優先度を入力するための表示画面を表示部１１４に表示させることができる。
【０１１０】
また、図３に示すように、入力画面エリアＡＲ１には、検索条件を入力するためのテキストボックス、検索開始のための検索ボタン、および検索指定（条件変更）のための条件変更ボタン等が配置されている。ここで、検索ボタンが押下された場合、検索条件のナビゲーションサーバ２００への送信処理が開始される。また、条件変更ボタン押下された場合、表示される別画面で検索ジャンルなどを指定すると、検索条件の入力領域に指定したものが入力される。また、本実施形態において、検索ボタンが押下された場合、優先ポイントＰＡ、ＰＢ、およびＰＣの位置に基づき、優先度決定部１０２ｈによる各優先ポイントに対応する表示優先項目の優先度決定処理、および、制御部１０２による検索条件取得処理が開始されてもよい（例えば、ジャンルに該当し、入力画面エリアＡＲ４に地図表示されている領域に含まれるＰＯＩの検索開始処理等）。また、検索ボタンが押下されていない場合でも、検索条件のナビゲーションサーバ２００への送信処理を開始するようにしてもよい。一例として、起動時や検索条件が変更された時が挙げられる。
【０１１１】
また、表示優先項目として、優先度を指定可能な量的データからなる項目だけでなく、検索条件の絞込のための質的データからなる項目を指定してもよい。図３に示すように、入力画面エリアＡＲ３には、優先度を指定可能な量的データからなる項目だけでなく、当該項目と連動しない検索条件の絞込みを行うための質的データ（質的条件）を指定する項目（ＩＴＥＭ  Ｅ：表示開始Ｉｎｄｅｘ）が表示されている。質的データからなる項目の一例として、ＰＯＩで提供される料理（例えば、ラーメン等）の味（例えば、醤油、塩、味噌、または、とんこつ等）の条件、ＰＯＩが専門店か取扱店か等の条件、および、検索条件に対する合致の程度（例えば、合致が必須、または、できれば合致等）などが挙げられる。優先度決定部１０２ｈは、質的データからなる項目について他の項目の値が変動しても優先度の値を変化させない。
【０１１２】
また、図５は、表示優先項目の優先度に基づいて、種々のカテゴリ（例えば、ラーメン等）について検索する表示画面の一例であり、図３に示す表示画面における表示優先項目を「低価格」から「たばこ」に変更し、３つの表示優先項目（評判、たばこ、および、近さ）の優先度がレーダチャートとして入力画面エリアＡＲ２に表示された、当該優先度を入力するための表示画面である。
【０１１３】
ここで、図５に示すように、入力画面エリアＡＲ２に表示されたレーダチャートは、複数の表示優先項目の優先度に対応する優先ポイントの入力手段を含んでおり、レーダチャート中に３つ設定されたＰＯＩの表示優先項目（ＩＴＥＭ  Ａ：評判、ＩＴＥＭ  Ｂ：たばこ、および、ＩＴＥＭ  Ｃ：近さ）の優先ポイント（ＰＡ、ＰＢ、および、ＰＣ）は、利用者により入力部１１６を介して移動されることにより優先ポイントの値を入力（変更）させることができる。ここで、表示優先項目ＩＴＥＭ  Ｂである「たばこ」とは、施設（例えば、店舗等）における分煙化の程度を示しており、本実施例において、ＰＢがレーダチャートの中心（ＣＢ）に近づくほど「全禁煙」の施設を示しており、ＰＢがレーダチャートの頂点に近づくほど「全喫煙」の施設となっている。また、図３において表示優先項目であった「低価格」は、図５において入力画面エリアＡＲ３内の他の項目ＩＴＥＭ  Ｆとして表示されている。なお、図５において、入力画面エリアＡＲ２に表示された表示優先項目ＩＴＥＭ  Ｂ、および、入力画面エリアＡＲ３に表示された他の項目ＩＴＥＭ  Ｆに関係する項目以外は、図３と同様であるため説明を省略する。
【０１１４】
図２に戻り、端末装置１００の優先度決定部１０２ｈは、利用者により入力部１１６を介して表示部１１４を用いて入力された表示優先項目の優先度に基づいて、当該入力された表示優先項目の優先度以外の表示優先項目の優先度を決定する（ステップＳＡ−３）。ここで、優先度決定部１０２ｈは、１つの表示優先項目の優先度が入力部１１６を介して変更された場合、当該変更に基づいて当該変更された表示優先項目の優先度以外の他の表示優先項目の優先度を決定してもよい。また、優先度決定部１０２ｈは、複数の表示優先項目の優先度が入力部１１６を介して一緒に変更された場合、当該変更に基づいて当該変更された表示優先項目の優先度以外の他の表示優先項目の優先度を決定してもよい。
【０１１５】
また、優先度決定部１０２ｈは、項目に対する指定操作が利用者により入力部１１６を介して入力された場合、項目変更部１０２ｆによる表示優先項目の変更に基づいて、当該変更された表示優先項目以外の他の表示優先項目の優先度を決定してもよい。また、優先度決定部１０２ｈは、グラフ中で配置が隣接する表示優先項目の優先度を連動させる線分に対する移動操作が利用者により入力部１１６を介して入力され、連動変更部１０２ｇにより線分で結ばれた表示優先項目の優先度が連動して変更された場合、当該変更された表示優先項目以外の他の表示優先項目の優先度を決定してもよい。また、優先度決定部１０２ｈは、更に、表示優先項目の優先度に対する所定の固定化操作が入力部１１６を介して入力（例えば、ダブルクリックなど）され、固定化部１０２ｄにより当該表示優先項目の当該優先度を変更させない固定化がされた場合、当該固定化された表示優先項目の優先度以外の他の表示優先項目の優先度を決定してもよい。また、優先度決定部１０２ｈは、所定の初期化操作が入力部１１６を介して入力され、初期化部１０２ｅにより各表示優先項目の優先度が初期設定の優先度に変更された場合、当該初期化された表示優先項目の優先度以外の他の表示優先項目の優先度を決定してもよい。
【０１１６】
ここで、図６を参照して、本実施形態における複数の表示優先項目の優先度の変更の一例について説明する。図６は、本実施形態におけるレーダチャートの表示変更の一例を示す図である。
【０１１７】
図６において、それぞれの表示優先項目の優先度は、優先ポイントＰＡ、ＰＢおよびＰＣの位置に応じて定まっており、優先ポイントＰＡ、ＰＢおよびＰＣに対応する優先度の和が１になるように設定されている。図６に示すように、利用者の操作に応じて優先ポイントＰＡが移動すると、優先度決定部１０２ｈは、それに基づいて他の表示優先項目の優先ポイント（優先ポイントＰＢおよびＰＣ）を変更させる。具体的には、図６左上図に示すように、各表示優先項目の優先ポイントに対応する優先度が０．３３である状態から、図６右上図に示すように利用者の操作により「評判」の表示優先項目の優先ポイントＰＡが優先度０．５に対応する位置に変更された場合、優先度決定部１０２ｈは、優先ポイントＰＡの位置変更に基づいて、「低価格」の表示優先項目の優先ポイントＰＢを優先度０．２５に対応する位置に変更し、「近さ」の表示優先項目の優先ポイントＰＣを優先度０．２５に対応する位置に変更している。このように、１つの優先ポイントの位置を変更するのに伴い、他の表示優先項目の優先ポイントも変更できるので、容易に複数の表示優先項目の優先ポイントを変更することができる。
【０１１８】
図２に戻り、端末装置１００の変更表示部１０２ｎは、ステップＳＡ−３にて利用者により入力部１１６を介して入力された表示優先項目の優先度、および、ステップＳＡ−３にて優先度決定部１０２ｈにより決定された表示優先項目の優先度に基づいて、グラフの表示を変更した表示画面を表示部１１４に表示させる（ステップＳＡ−４）。ここで、変更表示部１０２ｎは、補正値算出部１０２ｉにより算出された補正値、または、補正値算出部１０２ｉにより相互に変換された優先度もしくは補正値に基づきグラフの表示を変更した表示画面を表示部１１４に表示させてもよい。
【０１１９】
ここで、図６を参照して、本実施形態におけるレーダチャートの表示変更の一例について説明する。図６に示すように、変更表示部１０２ｎは、優先度決定部１０２ｈにより決定された優先度等に基づいて優先ポイントＰＡ、ＰＢおよびＰＣの位置を変更している。具体的には、図６左上図のように各表示優先項目の優先ポイントが均等な状態から、優先ポイントＰＡが上部へ移動させられると、図６右上図に示すように、優先ポイントＰＡに対応する優先度が増え、優先ポイントＰＢおよびＰＣに対応する優先度が減る（例えば、トレードオフ連動による減少、力学法則に従った減少等）。そして、優先ポイントＰＡを最上部（すなわち、１）まで移動させると、図６右下図に示すように、優先ポイントＰＢおよびＰＣが０になる。また、図６左上図の状態から優先ポイントＰＡを下に押し出すと、図６左下図に示すように、優先ポイントＰＡに対応する優先度が減り、優先ポイントＰＢおよびＰＣに対応する優先度が増える（例えば、増えた分を均等に割り振る）。
【０１２０】
また、図７および図８を参照して、本実施形態における優先ポイントの表示変更の一例について説明する。図７および図８は、本実施形態における優先ポイントの表示変更の一例を示すグラフである。
【０１２１】
本実施形態において、表示される表示優先項目の優先ポイントおよび優先ポイントに対応する優先度は０から１に正規化され、全表示優先項目の優先ポイントに対応する優先度を合計すると１となり、ある優先ポイントを減らした場合に減った分を他の表示優先項目に均等に割り振り、ある優先ポイントを増やした場合に増えた分を他の表示優先項目から減らすようにしている。そして、変更表示部１０２ｎは、優先度の値をそのままレーダチャートに割り振り表示させるとユーザが操作しづらいため、全表示優先項目の優先度が均等の場合に、レーダチャート値（優先ポイント）の表示位置（設定値）が１／２になるように補正値算出部１０２ｉにより変換させている（表示優先項目数３以上）。これにより、レーダチャートの表示に関して、各表示優先項目の均等値が丁度半分になるように調整している。
【０１２２】
具体的には、表示優先項目数が１０で各表示優先項目の優先度が等しい場合、各表示優先項目の優先度は０．１なる。そこで、図７に示すように、各表示優先項目のレーダチャート中の表示位置が中央値である０．５になるように、補正値算出部１０２ｉは、優先度０．１が優先ポイント０．５になるように補正している。また、表示優先項目数が３で各表示優先項目の優先度が等しい場合、各表示優先項目の優先度は０．３３３（すなわち、１／３）になる。そこで、図８に示すように、各表示優先項目のレーダチャート中の表示位置が中央値である０．５になるように、補正値算出部１０２ｉは、優先度０．３３３が優先ポイント０．５になるように補正している。例えば、これらレーダチャートにおいて設定される優先ポイント（ｙ）は、表示優先項目数をｎ、および、優先度をｘとする以下の数式１または数式２等により求めることができる。
【数１】
0005671350.tif 000002
（ここで、対数の底は任意の実数であってもよい。）
【数２】
0005671350.tif 000003
【０１２３】
図２に戻り、端末装置１００の制御部１０２は、利用者により入力部１１６を介して入力されたナビゲーション情報の検索条件を取得する（ステップＳＡ−５）。検索条件は、ＰＯＩ情報を特定するため条件であってもよく、例えば、ＰＯＩの名称、立地、利用目的、提供料理を含む取扱商品、および、ジャンル等の情報であってもよい。また、検索条件は、経路探索のための経路探索条件であってもよく、例えば、出発地、目的地、経由地、出発時刻、到着時刻、および、経由時刻等の情報であってもよい。ここで、出発時刻は、現在時刻であってもよい。また、出発地は、端末装置１００の利用者の現在位置であってもよい。また、制御部１０２は、更に、現在位置情報取得部１０２ａにより取得される端末装置１００の利用者の現在位置情報を検索条件として取得してもよい。また、制御部１０２は、更に、表示部１１４に表示されている地図データの位置情報を検索条件として取得してもよい。
【０１２４】
そして、端末装置１００の検索条件送信部１０２ｊは、ナビゲーション情報の検索条件をナビゲーションサーバ２００に送信する（ステップＳＡ−６）。
【０１２５】
そして、ナビゲーションサーバ２００の検索条件受信部２０２ａは、端末装置１００から送信されるナビゲーション情報の検索条件を受信する（ステップＳＡ−７）。
【０１２６】
そして、ナビゲーションサーバ２００のナビゲーション情報取得部２０２ｃは、検索条件受信部２０２ａにより受信された検索条件を満たすＰＯＩ情報を含むナビゲーション情報をナビゲーション情報データベース２０６ｂから抽出して取得する（ステップＳＡ−８）。ここで、ナビゲーション情報取得部２０２ｃは、案内経路探索部２０２ｂにより生成されてナビゲーション情報データベース２０６ｂに格納された、検索条件受信部２０２ａにより受信された経路探索条件を満たす出発地から目的地までの案内経路の案内経路データをナビゲーション情報データベース２０６ｂから抽出して取得してもよい。
【０１２７】
そして、ナビゲーションサーバ２００のナビゲーション情報送信部２０２ｄは、少なくともナビゲーション情報取得部２０２ｃにより取得されたナビゲーション情報を端末装置１００に送信する（ステップＳＡ−９）。ここで、ナビゲーション情報送信部２０２ｄは、更に、ナビゲーション情報に含まれるＰＯＩ情報に基づくＰＯＩの所在地を含む地図の、地図データベース２０６ｃに記憶された、地図データを端末装置１００に送信してもよい。また、ナビゲーション情報送信部２０２ｄは、更に、ナビゲーション情報に含まれる案内経路データに基づく案内経路を含む地図の、地図データベース２０６ｃに記憶された、地図データを端末装置１００に送信してもよい。ここで、ナビゲーション情報送信部２０２ｄは、ナビゲーション情報取得部２０２ｃにより取得されたナビゲーション情報（例えば、ＰＯＩ情報等）を付した地図データを生成して、端末装置１００に送信してもよい。
【０１２８】
そして、端末装置１００のナビゲーション情報受信部１０２ｋは、ナビゲーションサーバ２００から送信されるナビゲーション情報を受信し、受信したナビゲーション情報をナビゲーション情報ファイル１０６ａに格納する（ステップＳＡ−１０）。ここで、ナビゲーション情報受信部１０２ｋは、ナビゲーション情報ファイル１０６ａに既存のナビゲーション情報が記憶されている場合、新たに設定されたナビゲーション情報を、既存のナビゲーション情報に上書きして格納してもよい。また、ナビゲーション情報受信部１０２ｋは、更に、ナビゲーションサーバ２００から送信されるナビゲーション情報に含まれるＰＯＩ情報に基づくＰＯＩの所在地を含む地図の地図データを受信してもよい。また、ナビゲーション情報受信部１０２ｋは、更に、ナビゲーションサーバ２００から送信されるナビゲーション情報に含まれる案内経路データに基づく案内経路を含む地図の地図データを受信してもよい。また、ナビゲーション情報受信部１０２ｋは、受信した地図データをナビゲーション情報ファイル１０６ａに格納してもよい。
【０１２９】
そして、端末装置１００の表示優先度決定部１０２ｍは、ナビゲーション情報受信部１０２ｋにより受信されたナビゲーション情報と、ステップＳＡ−３にて利用者により入力部１１６を介して入力された表示優先項目の優先度、および、ステップＳＡ−３にて優先度決定部１０２ｈにより決定された表示優先項目の優先度とに基づき、ナビゲーション情報の表示優先度（スコア）を決定（算出）する（ステップＳＡ−１１）。
【０１３０】
ここで、図９を参照して、本実施形態における表示優先度（スコア）算出処理の一例について説明する。図９は、本実施形態における表示優先度算出処理の一例を示す図である。
【０１３１】
図９に示すように、まず、表示優先度決定部１０２ｍは、ナビゲーション情報１０に含まれる、表示優先項目として設定されている項目の値を正規化した値１２を算出する。正規化の方法として、例えば、項目の採りうる値の下限値が０かつ上限値が１になるように値を変換するようにしてもよい。この場合、例えば、評価の項目の採りうる値が１から５までの値であれば、評価１は０に評価５は１に変換される。また、異なる正規化の例として、項目の採りうる値の上限値が０かつ下限値が１になるように値を変換するようにしてもよい。例えば、「低価格」という項目の場合、値段が高いよりも値段が低いほうが正規化後の値が大きくなるべきであるため、最高値が０に、最安値が１に変換される。また、異なる正規化の例として、ナビゲーション情報１０に含まれる全レコードの該当項目の平均が０かつ分散が１になるように値を変換してもよい。この場合、例えば、ナビゲーション情報１０に含まれる全レコードが３つで、評価の値がそれぞれ、１、４、４である場合、全レコードの平均が３、標本分散が２であるので、評価１は（１−３）／√２＝−√２に、評価４は（４−３）／√２＝√２／２に変換される。例えば、表示優先度決定部１０２ｍは、ナビゲーション情報１０に含まれるＢＢ麺の評価３を、項目の値の下限値が０かつ上限値が１になるように値を変換して正規化することにより、正規化された値１２として０．６を取得する。そして、表示優先度決定部１０２ｍは、利用者により入力部１１６を介して入力された表示優先項目の優先度、および、優先度決定部１０２ｈにより決定された表示優先項目の優先度の値１１と、正規化された値１２とを掛け合わせた値を合計し、表示優先度（総合スコア）１３を算出する。例えば、表示優先度決定部１０２ｍは、各優先度の値１１である０．３３３と、ＢＢ麺の「評判」、「近さ」、および、「低価格」の表示優先項目の正規化された値１２である０．６、０．７および０．８とを掛け合わせた値を合計し（＝０．３３３＊０．６＋０．３３３＊０．７＋０．３３３＊０．８）、表示優先度（総合スコア）１３として０．７０を算出する。更に、表示優先度決定部１０２ｍは、算出された総合スコア１３を用いてレコードをソートすることができる。
【０１３２】
図２に戻り、端末装置１００の変更表示部１０２ｎは、ステップＳＡ−１１にて表示優先度決定部１０２ｍにより決定された表示優先度に基づき、表示部１１４に表示を行うＰＯＩを決定し、ナビゲーション情報受信部１０２ｋにより受信されたナビゲーション情報に含まれるＰＯＩ情報に基づくＰＯＩの所在地を含む地図の地図データ上に、ナビゲーション情報受信部１０２ｋにより受信された当該ナビゲーション情報に含まれるＰＯＩ情報の一部または全部を重畳した表示画面（検索結果表示）を表示部１１４に表示させる（ステップＳＡ−１２）。ここで、変更表示部１０２ｎは、ステップＳＡ−１１にて表示優先度決定部１０２ｍにより決定された表示優先度に基づき、ナビゲーション情報受信部１０２ｋにより受信されたナビゲーション情報に含まれる案内経路データに基づく案内経路を含む地図の地図データ上に、ナビゲーション情報受信部１０２ｋにより受信された当該ナビゲーション情報に含まれる案内経路データを重畳した表示画面を表示部１１４に表示させてもよい。また、変更表示部１０２ｎは、更に、現在位置情報取得部１０２ａにより取得される端末装置１００の利用者の現在位置情報に基づく表示画面を表示部１１４に表示させてもよい。
【０１３３】
ここで、図３を参照して、本実施形態における検索結果表示の一例について説明する。図３に示すように、入力画面エリアＡＲ４には、ＰＯＩの検索結果の一部または全部が表示されている。ここで、変更表示部１０２ｎは、表示優先度に応じてＰＯＩ表示の強調度合いを変更し、入力画面エリアＡＲ４にＰＯＩ情報を表示している。具体的には、変更表示部１０２ｎは、表示優先度（総合スコア）の高かったＢＢ麺、ラーメンＥＥ、ＡＡ軒、およびラーメンＣＣの吹き出しが強調表示として表示されている。ここで、変更表示部１０２ｎは、総合スコアが高いＰＯＩ情報を優先して地図データ上に表示してもよく、表示優先項目ごとに色を設定しておき、ＰＯＩに対して色付けを行って表示してもよい。また、総合スコアに応じて、ＰＯＩ情報の地点表示（例えば、星等）の大きさ、吹き出しの有無、および色などで変化をつけて表してもよい。また、総合スコアが高い順にＰＯＩを並び替えた場合の先頭からの順番を表示するようにしてもよい。また、総合スコアが高い順にＰＯＩを並び替えた場合の先頭からの順番に応じて、表示部１１４への表示方法を変更してもよい。例えば、色、地点表示の大きさ、フォントの大きさ、アイコンの種類、または、吹き出しの有無などを変化させて表示してもよい。ここで、本実施形態において、ＰＯＩ情報の地点表示をレーダチャートにドラッグアンドドロップすることで、当該ＰＯＩ情報の閲覧モードに遷移し、ＰＯＩの詳細情報を表示してもよい。また、表示部１１４に表示されたＰＯＩを選択することで、別ウィンドウでＰＯＩの詳細情報を表示するようにしてもよい。
【０１３４】
図２に戻り、端末装置１００の制御部１０２は、変更表示部１０２ｎによりナビゲーション情報に基づく表示画面が表示部１１４に表示された場合であって、表示優先項目の優先度が利用者により入力部１１６を介して変更された場合、変更された表示優先項目の優先度を取得する（ステップＳＡ−１３）。ここで、制御部１０２は、表示優先項目の優先度に対する所定の固定化操作（例えば、ダブルクリックなど）が利用者により入力部１１６を介して入力され、固定化部１０２ｄにより固定化操作がなされた当該表示優先項目の当該優先度を変更させない固定化がされた場合、当該固定化された表示優先項目の優先度を取得してもよい。また、制御部１０２は、所定の初期化操作が利用者により入力部１１６を介して入力され、初期化部１０２ｅにより各表示優先項目の優先度を初期設定の優先度に変更する初期化がされた場合、当該初期化された表示優先項目の優先度を取得してもよい。また、制御部１０２は、グラフ中で配置が隣接する表示優先項目の優先度を連動させる線分に対する移動操作が利用者により入力部１１６を介して入力された場合、連動変更部１０２ｇにより当該移動操作に基づき線分で結ばれた表示優先項目の優先度を連動して変更された場合、当該連動して変更された表示優先項目の優先度を取得してもよい。
【０１３５】
そして、端末装置１００の優先度決定部１０２ｈは、ステップＳＡ−１３にて制御部１０２により取得された表示優先項目の優先度以外の他の表示優先項目の優先度を決定する（ステップＳＡ−１４）。ここで、優先度決定部１０２ｈは、更に、項目に対する指定操作が利用者により入力部１１６を介して入力された場合、項目変更部１０２ｆによる表示優先項目の変更に基づいて、当該変更された表示優先項目以外の他の表示優先項目の優先度を決定してもよい。
【０１３６】
そして、端末装置１００の変更表示部１０２ｎは、ステップＳＡ−１３にて制御部１０２により取得された表示優先項目の優先度、および、ステップＳＡ−１４にて優先度決定部１０２ｈにより決定された表示優先項目の優先度に基づいて、グラフの表示を変更した表示画面を表示部１１４に表示させる（ステップＳＡ−１５）。ここで、変更表示部１０２ｎは、補正値算出部１０２ｉにより算出された補正値、または、補正値算出部１０２ｉにより相互に変換された優先度もしくは補正値に基づきグラフの表示を変更した表示画面を表示部１１４に表示させてもよい。
【０１３７】
そして、端末装置１００の表示優先度決定部１０２ｍは、ナビゲーション情報受信部１０２ｋにより受信されたナビゲーション情報と、ステップＳＡ−１３にて制御部１０２により取得された表示優先項目の優先度、および、ステップＳＡ−１４にて優先度決定部１０２ｈにより決定された表示優先項目の優先度とに基づき、ナビゲーション情報の表示優先度を決定する（ステップＳＡ−１６）。
【０１３８】
そして、端末装置１００の変更表示部１０２ｎは、ステップＳＡ−１６にて表示優先度決定部１０２ｍにより決定された表示優先度に基づき、表示部１１４に表示を行うＰＯＩを決定し、ナビゲーション情報受信部１０２ｋにより受信されたナビゲーション情報に含まれるＰＯＩ情報に基づくＰＯＩの所在地を含む地図の地図データ上に、ナビゲーション情報受信部１０２ｋにより受信された当該ナビゲーション情報に含まれるＰＯＩ情報の一部または全部を重畳した表示画面（検索結果表示）を表示部１１４に再表示させる(ステップＳＡ−１７)。ここで、変更表示部１０２ｎは、ステップＳＡ−１６にて表示優先度決定部１０２ｍにより決定された表示優先度に基づき、ナビゲーション情報受信部１０２ｋにより受信されたナビゲーション情報に含まれる案内経路データに基づく案内経路を含む地図の地図データ上に、ナビゲーション情報受信部１０２ｋにより受信された当該ナビゲーション情報に含まれる案内経路データを重畳した表示画面を表示部１１４に再表示させてもよい。また、変更表示部１０２ｎは、更に、現在位置情報取得部１０２ａにより取得される端末装置１００の利用者の現在位置情報に基づく表示画面を表示部１１４に表示させてもよい。
【０１３９】
そして、端末装置１００の制御部１０２は、所定の終了処理（例えば、電源ＯＦＦおよびアプリケーション終了処理等）を検出したか否か判定する（ステップＳＡ−１８）。
【０１４０】
そして、端末装置１００の制御部１０２は、ステップＳＡ−１８にて所定の終了処理を検出しないと判定した場合（ステップＳＡ−１８：Ｎｏ）、処理をステップＳＡ−１３に移行させる。
【０１４１】
一方、端末装置１００の制御部１０２は、ステップＳＡ−１８にて所定の終了処理を検出したと判定した場合（ステップＳＡ−１８：Ｙｅｓ）、処理を終了する。
【０１４２】
以上で、第１の実施形態における検索システムの処理の一例の説明を終える。
【０１４３】
［第２の実施形態］
続いて、本発明の第２の実施形態（ナビゲーションサーバ２００（サーバ主導型））について、図１０および図１１を参照して以下に説明する。ここで、図１０は、第２の実施形態におけるナビゲーションサーバ２００の構成の一例を示すブロック図であり、該構成のうち本発明に関係する部分のみを概念的に示している。また、図１１は、第２の実施形態におけるナビゲーションサーバ２００の処理の一例を示すフローチャートである。
【０１４４】
なお、第２の実施形態においては、ナビゲーションサーバ２００にて端末装置１００の表示部１１４に表示させるデータを生成し、これらのデータを端末装置１００へ送信することにより、当該端末装置１００の表示部１１４を機能させている。このように、第２の実施形態は、ナビゲーションサーバ２００にてサーバ主導で処理を行う点がその他の実施形態と異なる。
【０１４５】
［ナビゲーションサーバ２００（サーバ主導型）の構成］
まず、第２の実施形態におけるナビゲーションサーバ２００（サーバ主導型）の構成の一例について、図１０を参照して以下に説明する。
【０１４６】
図１０に示すように、本発明の第２の実施形態のナビゲーションサーバ２００は、位置取得部１１２と出力部（表示部１１４および音声出力部１１８）と入力部１１６と制御部１０２とを少なくとも備えた端末装置１００に通信可能に接続された、制御部２０２と記憶部２０６とを少なくとも備える。通信には、一例として、ネットワーク３００を介した有線・無線通信等の遠隔通信等を含む。また、これらナビゲーションサーバ２００および端末装置１００の各部は任意の通信路を介して通信可能に接続されている。
【０１４７】
図１０において、ナビゲーションサーバ２００は、ナビゲーション情報に含まれる項目のうち、ナビゲーション情報を表示する際の優先順位の決定に用いる項目を表示優先項目として設定し、設定された複数の表示優先項目の優先度がグラフとして表示された、当該優先度を入力するための表示画面を生成し、生成された表示画面を端末装置１００へ送信することにより、当該端末装置１００の表示部１１４に当該表示画面を表示させ、端末装置１００の入力部１１６を介して表示部１１４を用いて入力された表示優先項目の優先度に基づいて、当該入力された表示優先項目の優先度以外の表示優先項目の優先度を決定、端末装置１００の入力部１１６を介して入力された表示優先項目の優先度、および、決定された表示優先項目の優先度に基づいて、グラフの表示を変更した表示画面を生成し、生成された表示画面を端末装置１００へ送信することにより、当該端末装置１００の表示部１１４に当該表示画面を表示させる等の機能を有する。
【０１４８】
なお、ナビゲーションサーバ２００における通信制御インターフェース部２０４および記憶部２０６（ネットワークデータベース２０６ａ、ナビゲーション情報データベース２０６ｂ、および、地図データベース２０６ｃ等）の機能、また、端末装置１００における位置取得部１１２、表示部１１４、入力部１１６、および、音声出力部１１８の機能は、第１の実施形態と同様であるため説明を省略する。
【０１４９】
また、図１０において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、案内経路探索部２０２ｂ、ナビゲーション情報取得部２０２ｃ、現在位置情報取得部２０２ｅ、表示優先項目設定部２０２ｆ、入力表示画面生成部２０２ｇ、出力制御部２０２ｈ、固定化部２０２ｉ、初期化部２０２ｊ、項目変更部２０２ｋ、連動変更部２０２ｍ、優先度決定部２０２ｎ、補正値算出部２０２ｐ、表示優先度決定部２０２ｑ、変更表示画面生成部２０２ｒ、および、経路案内表示画面生成部２０２ｓを備える。なお、案内経路探索部２０２ｂ、および、ナビゲーション情報取得部２０２ｃの機能は、第１の実施形態と同様であるため説明を省略する。
【０１５０】
このうち、現在位置情報取得部２０２ｅは、端末装置１００の利用者の現在位置情報を取得する現在位置情報取得手段である。ここで、現在位置情報取得部２０２ｅは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｅは、利用者により端末装置１００の入力部１１６を介して入力された現在位置についての位置座標等の位置情報を受信し、当該位置情報を端末装置１００の利用者の現在位置情報として取得してもよい。
【０１５１】
また、表示優先項目設定部２０２ｆは、ナビゲーション情報に含まれる項目のうち、ナビゲーション情報を表示する際の優先順位の決定に用いる項目を表示優先項目として設定する表示優先項目設定手段である。ここで、表示優先項目設定部２０２ｆは、ナビゲーション情報に含まれる項目のうち、端末装置１００の入力部１１６を介して指定された項目を表示優先項目として設定してもよい。ここで、表示優先項目設定部２０２ｆは、端末装置１００の入力部１１６を介して指定された項目の入力信号を受信してもよい。また、表示優先項目設定部２０２ｆは、ナビゲーション情報に含まれる項目のうち、初期設定表示優先項目（デフォルト表示優先項目）として予め設定された項目を表示優先項目として設定してもよい。
【０１５２】
また、入力表示画面生成部２０２ｇは、表示優先項目設定部２０２ｆにより設定された複数の表示優先項目の優先度がグラフとして表示された、当該優先度を入力するための表示画面を生成する表示画面生成手段である。
【０１５３】
出力制御部２０２ｈは、表示画面を含む出力制御情報を端末装置１００へ送信することにより、当該端末装置１００の出力部を介して当該出力制御情報を出力させる出力制御手段（入力表示制御手段、および、変更表示制御手段）である。ここで、出力制御部２０２ｈは、表示画面を含む出力制御情報を端末装置１００へ送信することにより、当該端末装置１００の表示部１１４に当該表示画面を表示させてもよい。また、出力制御部２０２ｈは、更に、表示画面に対応した音声データを含む出力制御情報を端末装置１００へ送信することにより、端末装置１００の音声出力部１１８を介して出力させて音声案内を実行させてもよい。
【０１５４】
また、固定化部２０２ｉは、表示優先項目の優先度に対する所定の固定化操作が端末装置１００の入力部１１６を介して入力された場合、固定化操作がなされた当該表示優先項目の当該優先度を変更させない固定化手段である。ここで、固定化部２０２ｉは、端末装置１００の入力部１１６を介して入力された固定化操作の入力信号を受信してもよい。
【０１５５】
また、初期化部２０２ｊは、所定の初期化操作が端末装置１００の入力部１１６を介して入力された場合、各表示優先項目の優先度を、初期設定の優先度に変更する初期化手段である。ここで、初期化部２０２ｊは、端末装置１００の入力部１１６を介して入力された初期化操作の入力信号を受信してもよい。
【０１５６】
また、項目変更部２０２ｋは、項目に対する指定操作が端末装置１００の入力部１１６を介して入力された場合、当該指定操作に基づき表示優先項目を変更する項目変更手段である。ここで、項目変更部２０２ｋは、端末装置１００の入力部１１６を介して入力された指定操作の入力信号を受信してもよい。また、項目変更部２０２ｋは、表示優先項目として設定された項目に対する指定操作が端末装置１００の入力部１１６を介して入力された場合、当該項目の表示優先項目とする設定を解除してもよい。また、項目変更部２０２ｋは、表示優先項目として設定されていない項目に対する指定操作が端末装置１００の入力部１１６を介して入力された場合、当該項目を表示優先項目として新たに加えて設定してもよい。
【０１５７】
また、連動変更部２０２ｍは、グラフ中で配置が隣接する表示優先項目の優先度を連動させる線分に対する移動操作が端末装置１００の入力部１１６を介して入力された場合、当該移動操作に基づき線分で結ばれた表示優先項目の優先度を連動して変更させる連動変更手段である。ここで、連動変更部２０２ｍは、端末装置１００の入力部１１６を介して入力された移動操作の入力信号を受信してもよい。また、連動変更部２０２ｍは、グラフ中で配置が隣接する表示優先項目の優先度を連動させる線分に対する移動操作が端末装置１００の入力部１１６を介して入力された場合、当該移動操作に基づく同一の増減量または増減率により線分で結ばれた表示優先項目の優先度を連動して変更させてもよい。
【０１５８】
また、優先度決定部２０２ｎは、端末装置１００の入力部１１６を介して表示部１１４を用いて入力された表示優先項目の優先度に基づいて、当該入力された表示優先項目の優先度以外の表示優先項目の優先度を決定する優先度決定手段である。ここで、優先度決定部２０２ｎは、端末装置１００の入力部１１６を介して入力された優先度を受信してもよい。また、優先度決定部２０２ｎは、１つの表示優先項目の優先度が端末装置１００の入力部１１６を介して変更された場合、当該変更に基づいて当該変更された表示優先項目の優先度以外の他の表示優先項目の優先度を決定してもよい。また、優先度決定部２０２ｎは、複数の表示優先項目の優先度が端末装置１００の入力部１１６を介して一緒に変更された場合、当該変更に基づいて当該変更された表示優先項目の優先度以外の他の表示優先項目の優先度を決定してもよい。また、優先度決定部２０２ｎは、項目変更部２０２ｋによる表示優先項目の変更に基づいて、当該変更された表示優先項目以外の他の表示優先項目の優先度を決定してもよい。また、優先度決定部２０２ｎは、連動変更部２０２ｍにより線分で結ばれた表示優先項目の優先度が連動して変更された場合、当該変更された表示優先項目以外の他の表示優先項目の優先度を決定してもよい。また、優先度決定部２０２ｎは、出力制御部２０２ｈによりナビゲーション情報に基づく表示画面を含む出力制御情報が端末装置１００へ送信されることにより、当該端末装置１００の表示部１１４に当該表示画面が表示された場合であって、表示優先項目の優先度が端末装置１００の入力部１１６を介して変更された場合、当該変更に基づいて当該変更された表示優先項目の優先度以外の他の表示優先項目の優先度を決定してもよい。
【０１５９】
また、補正値算出部２０２ｐは、所定の補正処理により、優先度決定部２０２ｎにより決定された表示優先項目の優先度に対する補正値を算出し、当該優先度および当該補正値を相互に変換する補正値算出手段である。
【０１６０】
また、表示優先度決定部２０２ｑは、ナビゲーション情報取得部２０２ｃにより取得されたナビゲーション情報と優先度とに基づき、ナビゲーション情報の表示優先度（スコア）を決定する表示優先度決定手段である。ここで、表示優先度決定部２０２ｑは、ナビゲーション情報取得部２０２ｃにより取得されたナビゲーション情報と、端末装置１００の入力部１１６を介して変更された表示優先項目の優先度、および、優先度決定部２０２ｎにより決定された表示優先項目の優先度とに基づき、ナビゲーション情報の表示優先度を決定してもよい。
【０１６１】
また、変更表示画面生成部２０２ｒは、端末装置１００の入力部１１６を介して入力された表示優先項目の優先度、および、優先度決定部２０２ｎにより決定された表示優先項目の優先度に基づいて、グラフの表示を変更した表示画面を生成する変更表示画面生成手段である。ここで、変更表示画面生成部２０２ｒは、補正値算出部２０２ｐにより算出された補正値、または、補正値算出部２０２ｐにより相互に変換された優先度もしくは補正値に基づきグラフの表示を変更した表示画面を生成してもよい。また、変更表示画面生成部２０２ｒは、更に、表示優先度決定部２０２ｑにより決定された表示優先度に基づき、ナビゲーション情報取得部２０２ｃにより取得されたナビゲーション情報に基づく表示画面を生成してもよい。また、変更表示画面生成部２０２ｒは、更に、ナビゲーション情報に基づく地図データの表示画面を生成してもよい。例えば、変更表示画面生成部２０２ｒは、更に、表示優先度決定部２０２ｑにより決定された表示優先度に基づき、地図データベース２０６ｃに記憶された地図データ上に、ナビゲーション情報取得部２０２ｃにより取得されたナビゲーション情報を重畳した表示画面（検索結果表示）を生成してもよい。具体的には、変更表示画面生成部２０２ｒは、更に、表示優先度決定部２０２ｑにより決定された表示優先度に基づき、地図データベース２０６ｃに記憶された、ナビゲーション情報に含まれる案内経路データに基づく案内経路を含む地図の地図データ上に、ナビゲーション情報に含まれる案内経路データを重畳した表示画面を生成してもよい。また、変更表示画面生成部２０２ｒは、更に、表示優先度決定部２０２ｑにより決定された表示優先度に基づき、地図データベース２０６ｃに記憶された、ナビゲーション情報に含まれるＰＯＩ情報に基づくＰＯＩの所在地を含む地図の地図データ上に、ナビゲーション情報に含まれるＰＯＩ情報を重畳した表示画面を生成してもよい。また、変更表示画面生成部２０２ｒは、更に、現在位置情報取得部２０２ｅにより取得される端末装置１００の利用者の現在位置情報に基づく表示画面を生成してもよい。
【０１６２】
また、経路案内表示画面生成部２０２ｓは、ナビゲーション情報に基づく経路案内用の表示画面を生成する経路案内表示画面生成手段である。ここで、経路案内表示画面生成部２０２ｓは、更に、現在位置情報取得部２０２ｅにより取得される端末装置１００の利用者の現在位置情報に基づく経路案内用の表示画面を生成してもよい。ここで、経路案内表示画面生成部２０２ｓは、例えば、地図データベース２０６ｃに記憶された、ナビゲーション情報に含まれる案内経路データに基づく案内経路を含む地図の地図データ上に、ナビゲーション情報に含まれる案内経路データ、および／または、現在位置情報取得部２０２ｅにより取得される端末装置１００の利用者の現在位置情報を重畳した経路案内用の表示画面を生成してもよい。
【０１６３】
以上で、第２の実施形態におけるナビゲーションサーバ２００の構成の一例の説明を終える。
【０１６４】
［ナビゲーションサーバ２００（サーバ主導型）の処理］
次に、このように構成された第２の実施形態におけるナビゲーションサーバ２００の処理の一例について、以下に図１１を参照して詳細に説明する。
【０１６５】
図１１に示すように、まず、端末装置１００の制御部１０２は、利用者により入力部１１６を介して本発明を実装したアプリケーションが起動された場合、起動信号をナビゲーションサーバ２００へ送信する（ステップＳＢ−１）。
【０１６６】
そして、ナビゲーションサーバ２００の表示優先項目設定部２０２ｆは、端末装置１００から送信される起動信号を受信し、ナビゲーション情報に含まれる項目のうち、初期設定表示優先項目（デフォルト表示優先項目）としてアプリケーションに予め設定された、ナビゲーション情報を表示する際の優先順位の決定に用いる項目を表示優先項目として設定する（ステップＳＢ−２）。ここで、表示優先項目設定部２０２ｆは、ナビゲーション情報に含まれる項目のうち、利用者により端末装置１００の入力部１１６を介して指定された項目の入力信号を受信し、当該入力信号に基づいて当該項目を表示優先項目として設定してもよい。
【０１６７】
そして、ナビゲーションサーバ２００の入力表示画面生成部２０２ｇは、表示優先項目設定部２０２ｆにより設定された複数の表示優先項目の優先度がグラフとして表示された、当該優先度を入力するための表示画面を生成する（ステップＳＢ−３）。
【０１６８】
そして、ナビゲーションサーバ２００の出力制御部２０２ｈは、入力表示画面生成部２０２ｇにより生成された表示画面を含む出力制御情報を端末装置１００へ送信することにより、当該端末装置１００の表示部１１４に当該表示画面を表示させる（ステップＳＢ−４）。また、出力制御部２０２ｈは、入力表示画面生成部２０２ｇにより生成された表示画面に対応した音声データを含む出力制御情報を端末装置１００へ送信することにより、端末装置１００の音声出力部１１８を介して出力させて音声案内を実行させてもよい。
【０１６９】
そして、端末装置１００の制御部１０２は、利用者により入力部１１６を介して表示部１１４を用いて表示優先項目の優先度が入力された場合、当該優先度をナビゲーションサーバ２００へ送信する（ステップＳＢ−５）。ここで、制御部１０２は、更に、表示優先項目の優先度に対する所定の固定化操作（例えば、ダブルクリックなど）が利用者により入力部１１６を介して入力された場合、当該固定化操作の入力信号をナビゲーションサーバ２００へ送信してもよい。また、制御部１０２は、更に、所定の初期化操作が利用者により入力部１１６を介して入力された場合、当該初期化操作の入力信号をナビゲーションサーバ２００へ送信してもよい。また、制御部１０２は、更に、グラフ中で配置が隣接する表示優先項目の優先度を連動させる線分に対する移動操作が利用者により入力部１１６を介して入力された場合、当該移動操作の入力信号をナビゲーションサーバ２００へ送信してもよい。
【０１７０】
そして、ナビゲーションサーバ２００の優先度決定部２０２ｎは、端末装置１００から送信される表示優先項目の優先度を受信し、当該表示優先項目の優先度以外の表示優先項目の優先度を決定する（ステップＳＢ−６）。ここで、優先度決定部２０２ｎは、１つの表示優先項目の優先度が端末装置１００の入力部１１６を介して変更された場合、当該変更に基づいて当該変更された表示優先項目の優先度以外の他の表示優先項目の優先度を決定してもよい。また、優先度決定部２０２ｎは、複数の表示優先項目の優先度が端末装置１００の入力部１１６を介して一緒に変更された場合、当該変更に基づいて当該変更された表示優先項目の優先度以外の他の表示優先項目の優先度を決定してもよい。
【０１７１】
また、優先度決定部２０２ｎは、更に、項目変更部２０２ｋにより利用者により端末装置１００の入力部１１６を介して入力された項目に対する指定操作が受信され、表示優先項目が変更された場合、当該変更された表示優先項目以外の他の表示優先項目の優先度を決定してもよい。また、優先度決定部２０２ｎは、更に、連動変更部２０２ｍにより利用者により端末装置１００の入力部１１６を介して入力されたグラフ中で配置が隣接する表示優先項目の優先度を連動させる線分に対する移動操作が受信され、線分で結ばれた表示優先項目の優先度が連動して変更された場合、当該変更された表示優先項目以外の他の表示優先項目の優先度を決定してもよい。また、優先度決定部２０２ｎは、更に、固定化部２０２ｉにより端末装置１００の入力部１１６を介して入力（例えば、ダブルクリックなど）された表示優先項目の優先度に対する所定の固定化操作が受信され、当該表示優先項目の当該優先度を変更させない固定化がされた場合、当該固定化された表示優先項目の優先度以外の他の表示優先項目の優先度を決定してもよい。また、優先度決定部２０２ｎは、更に、初期化部２０２ｊにより端末装置１００の入力部１１６を介して入力された所定の初期化操作が受信され、各表示優先項目の優先度が初期設定の優先度に変更された場合、当該初期化された表示優先項目の優先度以外の他の表示優先項目の優先度を決定してもよい。
【０１７２】
そして、ナビゲーションサーバ２００の変更表示画面生成部２０２ｒは、ステップＳＢ−６にて優先度決定部２０２ｎにより受信された端末装置１００の入力部１１６を介して入力された表示優先項目の優先度、および、ステップＳＢ−６にて優先度決定部２０２ｎにより決定された表示優先項目の優先度に基づいて、グラフの表示を変更した表示画面を生成する（ステップＳＢ−７）。ここで、変更表示画面生成部２０２ｒは、補正値算出部２０２ｐにより算出された補正値、または、補正値算出部２０２ｐにより相互に変換された優先度もしくは補正値に基づきグラフの表示を変更した表示画面を生成してもよい。
【０１７３】
そして、ナビゲーションサーバ２００の出力制御部２０２ｈは、ステップＳＢ−７にて変更表示画面生成部２０２ｒにより生成された表示画面を含む出力制御情報を端末装置１００へ送信することにより、当該端末装置１００の表示部１１４に当該表示画面を表示させる（ステップＳＢ−８）。ここで、出力制御部２０２ｈは、ステップＳＢ−７にて変更表示画面生成部２０２ｒにより生成された表示画面に対応した音声データを含む出力制御情報を端末装置１００へ送信することにより、端末装置１００の音声出力部１１８を介して出力させて音声案内を実行させてもよい。
【０１７４】
そして、端末装置１００の制御部１０２は、利用者により入力部１１６を介してナビゲーション情報の検索条件が入力された場合、当該検索条件をナビゲーションサーバ２００へ送信する（ステップＳＢ−９）。
【０１７５】
そして、ナビゲーションサーバ２００のナビゲーション情報取得部２０２ｃは、端末装置１００から送信されるナビゲーション情報の検索条件を受信し、当該検索条件を満たすＰＯＩ情報を含むナビゲーション情報をナビゲーション情報データベース２０６ｂから抽出して取得する（ステップＳＢ−１０）。ここで、ナビゲーション情報取得部２０２ｃは、案内経路探索部２０２ｂにより生成されてナビゲーション情報データベース２０６ｂに格納された、端末装置１００から受信した経路探索条件を満たす出発地から目的地までの案内経路の案内経路データをナビゲーション情報データベース２０６ｂから抽出して取得してもよい。
【０１７６】
そして、ナビゲーションサーバ２００の表示優先度決定部２０２ｑは、ナビゲーション情報取得部２０２ｃにより取得されたナビゲーション情報と、ステップＳＢ−６にて優先度決定部２０２ｎにより受信された端末装置１００の入力部１１６を介して入力された表示優先項目の優先度、および、ステップＳＢ−６にて優先度決定部２０２ｎにより決定された表示優先項目の優先度とに基づき、ナビゲーション情報の表示優先度を決定する（ステップＳＢ−１１）。
【０１７７】
そして、ナビゲーションサーバ２００の変更表示画面生成部２０２ｒは、ステップＳＢ−１１にて表示優先度決定部２０２ｑにより決定された表示優先度に基づき、端末装置１００の表示部１１４に表示させるＰＯＩを決定し、地図データベース２０６ｃに記憶された、ナビゲーション情報に含まれるＰＯＩ情報に基づくＰＯＩの所在地を含む地図の地図データ上に、ナビゲーション情報に含まれるＰＯＩ情報の一部または全部を重畳した表示画面（検索結果表示）を生成する（ステップＳＢ−１２）。ここで、変更表示画面生成部２０２ｒは、ステップＳＢ−１１にて表示優先度決定部２０２ｑにより決定された表示優先度に基づき、地図データベース２０６ｃに記憶された、ナビゲーション情報に含まれる案内経路データに基づく案内経路を含む地図の地図データ上に、ナビゲーション情報に含まれる案内経路データを重畳した表示画面を生成してもよい。また、変更表示画面生成部２０２ｒは、更に、現在位置情報取得部２０２ｅにより取得される端末装置１００の利用者の現在位置情報に基づく表示画面を生成してもよい。
【０１７８】
そして、ナビゲーションサーバ２００の出力制御部２０２ｈは、ステップＳＢ−１２にて変更表示画面生成部２０２ｒにより生成された表示画面を含む出力制御情報を端末装置１００へ送信することにより、当該端末装置１００の表示部１１４に当該表示画面を表示させる（ステップＳＢ−１３）。ここで、出力制御部２０２ｈは、変更表示画面生成部２０２ｒにより生成された表示画面に対応した音声データを含む出力制御情報を端末装置１００へ送信することにより、端末装置１００の音声出力部１１８を介して出力させて音声案内を実行させてもよい。
【０１７９】
そして、端末装置１００の制御部１０２は、ナビゲーションサーバ２００の出力制御部２０２ｈによりナビゲーション情報に基づく表示画面が表示部１１４に表示された場合であって、表示優先項目の優先度が利用者により入力部１１６を介して変更された場合、変更された表示優先項目の優先度をナビゲーションサーバ２００へ送信する（ステップＳＢ−１４）。ここで、制御部１０２は、更に、項目に対する指定操作が利用者により入力部１１６を介して入力された場合、当該指定操作の入力信号をナビゲーションサーバ２００へ送信してもよい。また、制御部１０２は、更に、表示優先項目の優先度に対する所定の固定化操作（例えば、ダブルクリックなど）が利用者により入力部１１６を介して入力された場合、当該固定化操作の入力信号をナビゲーションサーバ２００へ送信してもよい。また、制御部１０２は、更に、所定の初期化操作が利用者により入力部１１６を介して入力された場合、当該初期化操作の入力信号をナビゲーションサーバ２００へ送信してもよい。また、制御部１０２は、更に、グラフ中で配置が隣接する表示優先項目の優先度を連動させる線分に対する移動操作が利用者により入力部１１６を介して入力された場合、当該移動操作の入力信号をナビゲーションサーバ２００へ送信してもよい。
【０１８０】
そして、ナビゲーションサーバ２００の優先度決定部２０２ｎは、端末装置１００から送信される表示優先項目の優先度を受信し、当該表示優先項目の優先度以外の表示優先項目の優先度を決定する（ステップＳＢ−１５）。ここで、優先度決定部２０２ｎは、１つの表示優先項目の優先度が端末装置１００の入力部１１６を介して変更された場合、当該変更に基づいて当該変更された表示優先項目の優先度以外の他の表示優先項目の優先度を決定してもよい。また、優先度決定部２０２ｎは、複数の表示優先項目の優先度が端末装置１００の入力部１１６を介して一緒に変更された場合、当該変更に基づいて当該変更された表示優先項目の優先度以外の他の表示優先項目の優先度を決定してもよい。
【０１８１】
また、優先度決定部２０２ｎは、更に、項目変更部２０２ｋにより利用者により端末装置１００の入力部１１６を介して入力された項目に対する指定操作が受信され、表示優先項目が変更された場合、当該変更された表示優先項目以外の他の表示優先項目の優先度を決定してもよい。また、優先度決定部２０２ｎは、更に、連動変更部２０２ｍにより利用者により端末装置１００の入力部１１６を介して入力されたグラフ中で配置が隣接する表示優先項目の優先度を連動させる線分に対する移動操作が受信され、線分で結ばれた表示優先項目の優先度が連動して変更された場合、当該変更された表示優先項目以外の他の表示優先項目の優先度を決定してもよい。また、優先度決定部２０２ｎは、更に、固定化部２０２ｉにより端末装置１００の入力部１１６を介して入力（例えば、ダブルクリックなど）された表示優先項目の優先度に対する所定の固定化操作が受信され、当該表示優先項目の当該優先度を変更させない固定化がされた場合、当該固定化された表示優先項目の優先度以外の他の表示優先項目の優先度を決定してもよい。また、優先度決定部２０２ｎは、更に、初期化部２０２ｊにより端末装置１００の入力部１１６を介して入力された所定の初期化操作が受信され、各表示優先項目の優先度が初期設定の優先度に変更された場合、当該初期化された表示優先項目の優先度以外の他の表示優先項目の優先度を決定してもよい。
【０１８２】
そして、ナビゲーションサーバ２００の変更表示画面生成部２０２ｒは、ステップＳＢ−１５にて優先度決定部２０２ｎにより受信された端末装置１００の入力部１１６を介して入力された表示優先項目の優先度、および、ステップＳＢ−１５にて優先度決定部２０２ｎにより決定された表示優先項目の優先度に基づいて、グラフの表示を変更した表示画面を生成する（ステップＳＢ−１６）。ここで、変更表示画面生成部２０２ｒは、補正値算出部２０２ｐにより算出された補正値、または、補正値算出部２０２ｐにより相互に変換された優先度もしくは補正値に基づきグラフの表示を変更した表示画面を生成してもよい。
【０１８３】
そして、ナビゲーションサーバ２００の出力制御部２０２ｈは、ステップＳＢ−１６にて変更表示画面生成部２０２ｒにより生成された表示画面を含む出力制御情報を端末装置１００へ送信することにより、当該端末装置１００の表示部１１４に当該表示画面を表示させる（ステップＳＢ−１７）。ここで、出力制御部２０２ｈは、ステップＳＢ−１６にて変更表示画面生成部２０２ｒにより生成された表示画面に対応した音声データを含む出力制御情報を端末装置１００へ送信することにより、端末装置１００の音声出力部１１８を介して出力させて音声案内を実行させてもよい。
【０１８４】
ナビゲーションサーバ２００の表示優先度決定部２０２ｑは、ナビゲーション情報取得部２０２ｃにより取得されたナビゲーション情報と、ステップＳＢ−１５にて優先度決定部２０２ｎにより受信された端末装置１００の入力部１１６を介して入力された表示優先項目の優先度、および、ステップＳＢ−１５にて優先度決定部２０２ｎにより決定された表示優先項目の優先度とに基づき、ナビゲーション情報の表示優先度を決定する（ステップＳＢ−１８）。
【０１８５】
そして、ナビゲーションサーバ２００の変更表示画面生成部２０２ｒは、ステップＳＢ−１８にて表示優先度決定部２０２ｑにより決定された表示優先度に基づき、端末装置１００の表示部１１４に表示させるＰＯＩを決定し、地図データベース２０６ｃに記憶された、ナビゲーション情報に含まれるＰＯＩ情報に基づくＰＯＩの所在地を含む地図の地図データ上に、ナビゲーション情報に含まれるＰＯＩ情報の一部または全部を重畳した表示画面（検索結果表示）を生成する（ステップＳＢ−１９）。ここで、変更表示画面生成部２０２ｒは、ステップＳＢ−１８にて表示優先度決定部２０２ｑにより決定された表示優先度に基づき、地図データベース２０６ｃに記憶された、ナビゲーション情報に含まれる案内経路データに基づく案内経路を含む地図の地図データ上に、ナビゲーション情報に含まれる案内経路データを重畳した表示画面を生成してもよい。また、変更表示画面生成部２０２ｒは、更に、現在位置情報取得部２０２ｅにより取得される端末装置１００の利用者の現在位置情報に基づく表示画面を生成してもよい。
【０１８６】
そして、ナビゲーションサーバ２００の出力制御部２０２ｈは、ステップＳＢ−１９にて変更表示画面生成部２０２ｒにより生成された表示画面を含む出力制御情報を端末装置１００へ送信することにより、当該端末装置１００の表示部１１４に当該表示画面を表示させる（ステップＳＢ−２０）。ここで、出力制御部２０２ｈは、変更表示画面生成部２０２ｒにより生成された表示画面に対応した音声データを含む出力制御情報を端末装置１００へ送信することにより、端末装置１００の音声出力部１１８を介して出力させて音声案内を実行させてもよい。
【０１８７】
そして、ナビゲーションサーバ２００の制御部２０２は、端末装置１００の所定の終了処理（例えば、電源ＯＦＦおよびアプリケーション終了処理等）を検知したか否か判定する（ステップＳＢ−２１）。
【０１８８】
そして、ナビゲーションサーバ２００の制御部２０２は、ステップＳＢ−２１にて端末装置１００の所定の終了処理を検知しないと判定した場合（ステップＳＢ−２１：Ｎｏ）、処理をステップＳＢ−１５に移行させる。
【０１８９】
一方、ナビゲーションサーバ２００の制御部２０２は、ステップＳＢ−２１にて端末装置１００の所定の終了処理を検知したと判定した場合（ステップＳＢ−２１：Ｙｅｓ）、処理を終了する。
【０１９０】
以上で、第２の実施形態におけるナビゲーションサーバ２００の処理の一例の説明を終える。
【０１９１】
［第３の実施形態］
続いて、本発明の第３の実施形態（検索装置４００（スタンドアローン型））について、図１２および図１３を参照して以下に説明する。ここで、図１２は、第３の実施形態における検索装置４００の構成の一例を示すブロック図であり、該構成のうち本発明に関係する部分のみを概念的に示している。また、図１３は、第３の実施形態における検索装置４００の処理の一例を示すフローチャートである。
【０１９２】
なお、第３の実施形態においては、全ての機能を検索装置４００に集約し、ナビゲーション情報に含まれる項目のうち、ナビゲーション情報を表示する際の優先順位の決定に用いる項目を表示優先項目として設定し、設定された複数の表示優先項目の優先度がグラフとして表示された、当該優先度を入力するための表示画面を表示部４１４に表示させ、入力部４１６を介して表示部４１４を用いて入力された表示優先項目の優先度に基づいて、当該入力された表示優先項目の優先度以外の表示優先項目の優先度を決定し、入力部４１６を介して入力された表示優先項目の優先度、および、決定された表示優先項目の優先度に基づいて、グラフの表示を変更した表示画面を表示部４１４に表示させる等の機能を有する。このように、第３の実施形態は、検索装置４００がスタンドアローン型に構成され単独で処理を行う点がその他の実施形態と異なる。
【０１９３】
［検索装置４００（スタンドアローン型）の構成］
まず、第３の実施形態における検索装置４００（スタンドアローン型）の構成の一例について、図１２を参照して以下に説明する。
【０１９４】
図１２に示すように、本発明の第３の実施形態の検索装置４００（例えば、ナビゲーション装置等）は、位置取得部４１２と出力部（表示部４１４および音声出力部４１８）と入力部４１６と制御部４０２と記憶部４０６とを少なくとも備える。これら検索装置４００の各部は任意の通信路を介して通信可能に接続されてもよい。検索装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、検索装置４００は、通信制御インターフェース部（図示せず）を介してネットワーク３００を経由し、外部装置と相互に通信可能に接続されていてもよい。
【０１９５】
図１２において、入出力制御インターフェース部４０８、位置取得部４１２、表示部４１４、入力部４１６、および、音声出力部４１８の各機能は、第１の実施形態と同様であるため説明を省略する。また、記憶部４０６の各部（ネットワークデータベース４０６ａ、ナビゲーション情報データベース４０６ｂ、および、地図データベース４０６ｃ等）についても、ナビゲーションサーバ２００ではなく検索装置４００に備えられている点を除き、各機能が第１の実施形態と同様であるため説明を省略する。
【０１９６】
また、制御部４０２の各部（現在位置情報取得部４０２ａ乃至経路案内部４０２ｐ等）については、本実施形態の検索装置４００がスタンドアローン型であり、制御部４０２が各送信部を備えていない点を除き、各機能は第１の実施形態と基本的に同様である。
【０１９７】
また、図１２において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、表示優先項目設定部４０２ｂ、入力画面表示部４０２ｃ、固定化部４０２ｄ、初期化部４０２ｅ、項目変更部４０２ｆ、連動変更部４０２ｇ、優先度決定部４０２ｈ、補正値算出部４０２ｉ、案内経路探索部４０２ｊ、ナビゲーション情報取得部４０２ｋ、表示優先度決定部４０２ｍ、変更表示部４０２ｎ、および、経路案内部４０２ｐを備える。
【０１９８】
このうち、現在位置情報取得部４０２ａは、検索装置４００の利用者の現在位置情報を取得する現在位置情報取得手段である。ここで、現在位置情報取得部４０２ａは、検索装置４００の利用者の現在位置情報を所定周期ごと（例えば、１秒ごと、３分ごと等）に取得してもよい。また、現在位置情報取得部４０２ａは、位置取得部４１２にて位置発信装置５００から受信した位置情報信号から算出した位置情報を検索装置４００の利用者の現在位置情報として取得してもよい。また、現在位置情報取得部４０２ａは、更に、位置取得部４１２の方位センサ等にて検出した検索装置４００の進行方向等の方位情報を検索装置４００の利用者の現在位置情報として取得してもよい。
【０１９９】
また、現在位置情報取得部４０２ａは、利用者により入力部４１６を介して入力された現在位置についての位置座標等の位置情報を検索装置４００の利用者の現在位置情報として取得してもよい。ここで、利用者により入力部４１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部４０２ａは、入力部４１６を介して利用者に表示部４１４に表示された地図データの表示画面上で指定（例えば、タッチパネル式の表示部４１４での指定操作等）させた座標を検索装置４００の利用者の現在位置情報として取得してもよい。また、現在位置情報取得部４０２ａは、更に、入力部４１６を介して利用者に表示部４１４に表示された地図データの表示画面上で指定させた方位情報を検索装置４００の利用者の現在位置情報として取得してもよい。
【０２００】
また、表示優先項目設定部４０２ｂは、ナビゲーション情報に含まれる項目のうち、ナビゲーション情報を表示する際の優先順位の決定に用いる項目を表示優先項目として設定する表示優先項目設定手段である。ここで、表示優先項目設定部４０２ｂは、ナビゲーション情報に含まれる項目のうち、入力部４１６を介して指定された項目を表示優先項目として設定してもよい。また、表示優先項目設定部４０２ｂは、ナビゲーション情報に含まれる項目のうち、初期設定表示優先項目（デフォルト表示優先項目）として予め設定された項目を表示優先項目として設定してもよい。
【０２０１】
また、入力画面表示部４０２ｃは、表示優先項目設定部４０２ｂにより設定された複数の表示優先項目の優先度がグラフとして表示された、当該優先度を入力するための表示画面を表示部４１４に表示させる入力画面表示手段である。
【０２０２】
また、固定化部４０２ｄは、表示優先項目の優先度に対する所定の固定化操作が入力部４１６を介して入力された場合、固定化操作がなされた当該表示優先項目の当該優先度を変更させない固定化手段である。
【０２０３】
また、初期化部４０２ｅは、所定の初期化操作が入力部４１６を介して入力された場合、各表示優先項目の優先度を、初期設定の優先度に変更する初期化手段である。
【０２０４】
また、項目変更部４０２ｆは、項目に対する指定操作が入力部４１６を介して入力された場合、当該指定操作に基づき表示優先項目を変更する項目変更手段である。ここで、項目変更部４０２ｆは、表示優先項目として設定された項目に対する指定操作が入力部４１６を介して入力された場合、当該項目の表示優先項目とする設定を解除してもよい。また、項目変更部４０２ｆは、表示優先項目として設定されていない項目に対する指定操作が入力部４１６を介して入力された場合、当該項目を表示優先項目として新たに加えて設定してもよい。
【０２０５】
また、連動変更部４０２ｇは、グラフ中で配置が隣接する表示優先項目の優先度を連動させる線分に対する移動操作が入力部４１６を介して入力された場合、当該移動操作に基づき線分で結ばれた表示優先項目の優先度を連動して変更させる連動変更手段である。ここで、連動変更部４０２ｇは、グラフ中で配置が隣接する表示優先項目の優先度を連動させる線分に対する移動操作が入力部４１６を介して入力された場合、当該移動操作に基づく同一の増減量または増減率により線分で結ばれた表示優先項目の優先度を連動して変更させてもよい。
【０２０６】
また、優先度決定部４０２ｈは、入力部４１６を介して表示部４１４を用いて入力された表示優先項目の優先度に基づいて、当該入力された表示優先項目の優先度以外の表示優先項目の優先度を決定する優先度決定手段である。ここで、優先度決定部４０２ｈは、１つの表示優先項目の優先度が入力部４１６を介して変更された場合、当該変更に基づいて当該変更された表示優先項目の優先度以外の他の表示優先項目の優先度を決定してもよい。また、優先度決定部４０２ｈは、複数の表示優先項目の優先度が入力部４１６を介して一緒に変更された場合、当該変更に基づいて当該変更された表示優先項目の優先度以外の他の表示優先項目の優先度を決定してもよい。また、優先度決定部４０２ｈは、項目変更部４０２ｆによる表示優先項目の変更に基づいて、当該変更された表示優先項目以外の他の表示優先項目の優先度を決定してもよい。また、優先度決定部４０２ｈは、連動変更部４０２ｇにより線分で結ばれた表示優先項目の優先度が連動して変更された場合、当該変更された表示優先項目以外の他の表示優先項目の優先度を決定してもよい。また、優先度決定部４０２ｈは、制御部４０２によりナビゲーション情報に基づく表示画面が表示部４１４に表示された場合であって、表示優先項目の優先度が入力部４１６を介して変更された場合、当該変更に基づいて当該変更された表示優先項目の優先度以外の他の表示優先項目の優先度を決定してもよい。
【０２０７】
また、補正値算出部４０２ｉは、所定の補正処理により、優先度決定部４０２ｈにより決定された表示優先項目の優先度に対する補正値を算出し、当該優先度および当該補正値を相互に変換する補正値算出手段である。
【０２０８】
また、案内経路探索部４０２ｊは、検索条件を満たす出発地から目的地までの案内経路を探索し、案内経路データを生成する案内経路探索手段である。ここで、案内経路探索部４０２ｊは、更に、生成した案内経路データをナビゲーション情報としてナビゲーション情報データベース４０６ｂに格納してもよい。また、案内経路探索部４０２ｊは、少なくとも出発地と目的地とを含む経路探索条件を満たす出発地から目的地までの案内経路を、ネットワークデータベース４０６ａに記憶されたネットワークデータを用いて探索し、案内経路データを生成してもよい。また、案内経路探索部４０２ｊは、少なくとも出発地と目的地と出発時刻または到着時刻とを含む経路探索条件を満たす出発地から目的地までの案内経路を、ネットワークデータベース４０６ａに記憶されたネットワークデータを用いて探索し、案内経路データを生成してもよい。また、経路探索条件は、検索装置４００の利用者により入力部４１６を介して入力されたものであってもよい。また、経路探索条件に経由地および経由時刻が更に含まれている場合、案内経路探索部４０２ｊは、出発地と目的地と経由地と経由時刻とを含む経路探索条件を満たす出発地から目的地までの経由地を経由した経路である案内経路を探索してもよい。
【０２０９】
また、ナビゲーション情報取得部４０２ｋは、検索条件を満たすナビゲーション情報を取得するナビゲーション情報取得手段である。ここで、ナビゲーション情報取得部４０２ｋは、検索条件を満たすナビゲーション情報をナビゲーション情報データベース４０６ｂから抽出して取得してもよい。ここで、ナビゲーション情報取得部４０２ｋは、例えば、検索条件を満たすＰＯＩ情報をナビゲーション情報データベース４０６ｂから抽出して取得してもよい。また、ナビゲーション情報取得部４０２ｋは、例えば、案内経路探索部４０２ｊにより生成されてナビゲーション情報データベース４０６ｂに格納された、経路探索条件を満たす出発地から目的地までの案内経路の案内経路データをナビゲーション情報データベース４０６ｂから抽出して取得してもよい。
【０２１０】
また、表示優先度決定部４０２ｍは、ナビゲーション情報取得部４０２ｋにより取得されたナビゲーション情報と優先度とに基づき、ナビゲーション情報の表示優先度（スコア）を決定する表示優先度決定手段である。ここで、表示優先度決定部４０２ｍは、ナビゲーション情報取得部４０２ｋにより取得されたナビゲーション情報と、入力部４１６を介して変更された表示優先項目の優先度、および、優先度決定部４０２ｈにより決定された表示優先項目の優先度とに基づき、ナビゲーション情報の表示優先度を決定してもよい。
【０２１１】
また、変更表示部４０２ｎは、入力部４１６を介して入力された表示優先項目の優先度、および、優先度決定部４０２ｈにより決定された表示優先項目の優先度に基づいて、グラフの表示を変更した表示画面を表示部４１４に表示させる変更表示手段である。ここで、変更表示部４０２ｎは、補正値算出部４０２ｉにより算出された補正値、または、補正値算出部４０２ｉにより相互に変換された優先度もしくは補正値に基づきグラフの表示を変更した表示画面を表示部４１４に表示させてもよい。また、変更表示部４０２ｎは、更に、表示優先度決定部４０２ｍにより決定された表示優先度に基づき、ナビゲーション情報取得部４０２ｋにより取得されたナビゲーション情報に基づく表示画面を表示部４１４に表示させてもよい。また、変更表示部４０２ｎは、更に、ナビゲーション情報に基づく地図データの表示画面を表示部４１４に表示させてもよい。例えば、変更表示部４０２ｎは、更に、表示優先度決定部４０２ｍにより決定された表示優先度に基づき、地図データベース４０６ｃに記憶された地図データ上に、ナビゲーション情報取得部４０２ｋにより取得されたナビゲーション情報を重畳した表示画面（検索結果表示）を表示部４１４に表示させてもよい。具体的には、変更表示部４０２ｎは、更に、表示優先度決定部４０２ｍにより決定された表示優先度に基づき、ナビゲーション情報に含まれる案内経路データに基づく案内経路を含む地図の地図データ上に、ナビゲーション情報に含まれる案内経路データを重畳した表示画面を表示部４１４に表示させてもよい。また、変更表示部４０２ｎは、更に、表示優先度決定部４０２ｍにより決定された表示優先度に基づき、ナビゲーション情報に含まれるＰＯＩ情報に基づくＰＯＩの所在地を含む地図の地図データ上に、ナビゲーション情報に含まれるＰＯＩ情報を重畳した表示画面を表示部４１４に表示させてもよい。また、変更表示部４０２ｎは、更に、現在位置情報取得部４０２ａにより取得される検索装置４００の利用者の現在位置情報に基づく表示画面を表示部４１４に表示させてもよい。また、変更表示部４０２ｎは、更に、表示優先度決定部４０２ｍにより決定された表示優先度に基づき、ナビゲーション情報取得部４０２ｋにより取得されたナビゲーション情報に基づく表示画面を表示部４１４に再表示させてもよい。
【０２１２】
また、経路案内部４０２ｐは、ナビゲーション情報を出力部を介して出力させることにより、経路案内を実行する経路案内手段である。ここで、経路案内部４０２ｐは、ナビゲーション情報に基づく表示画面を表示部４１４に表示させることにより、経路案内を実行してもよい。例えば、経路案内部４０２ｐは、ナビゲーション情報に含まれる案内経路データに少なくとも基づく表示画面を表示部４１４に表示させてもよい。また、経路案内部４０２ｐは、更に、検索装置４００の利用者の現在位置情報を出力部を介して出力させてもよい。例えば、経路案内部４０２ｐは、地図データ上に、案内経路データ、および、検索装置４００の利用者の現在位置情報、を重畳した表示画面を表示部４１４に表示させてもよい。また、経路案内部４０２ｐは、ナビゲーション情報に基づく音声案内データを音声出力部４１８を介して出力させてもよい。例えば、経路案内部４０２ｐは、案内経路データに基づく案内経路上の分岐点等における進行方向等に対応付けられた音声案内データを、音声出力部４１８を介して出力させてもよい。
【０２１３】
以上で、第３の実施形態における検索装置４００の構成の一例の説明を終える。
【０２１４】
［検索装置４００（スタンドアローン型）の処理］
次に、このように構成された第３の実施形態における検索装置４００の処理の一例について、以下に図１３を参照して詳細に説明する。
【０２１５】
図１３に示すように、まず、表示優先項目設定部４０２ｂは、利用者により入力部４１６を介して本発明を実装したアプリケーションが起動された場合、ナビゲーション情報データベース４０６ｂに記憶されたナビゲーション情報に含まれる項目のうち、初期設定表示優先項目（デフォルト表示優先項目）としてアプリケーションに予め設定された、ナビゲーション情報を表示する際の優先順位の決定に用いる項目を表示優先項目として設定する（ステップＳＣ−１）。ここで、表示優先項目設定部４０２ｂは、ナビゲーション情報データベース４０６ｂに記憶されたナビゲーション情報に含まれる項目のうち、利用者により入力部４１６を介して指定された項目を表示優先項目として設定してもよい。
【０２１６】
そして、入力画面表示部４０２ｃは、表示優先項目設定部４０２ｂにより設定された複数の表示優先項目の優先度がグラフとして表示された、当該優先度を入力するための表示画面を表示部４１４に表示させる（ステップＳＣ−２）。
【０２１７】
そして、優先度決定部４０２ｈは、利用者により入力部４１６を介して表示部４１４を用いて入力された表示優先項目の優先度に基づいて、当該入力された表示優先項目の優先度以外の表示優先項目の優先度を決定する（ステップＳＣ−３）。ここで、優先度決定部４０２ｈは、１つの表示優先項目の優先度が入力部４１６を介して変更された場合、当該変更に基づいて当該変更された表示優先項目の優先度以外の他の表示優先項目の優先度を決定してもよい。また、優先度決定部４０２ｈは、複数の表示優先項目の優先度が入力部４１６を介して一緒に変更された場合、当該変更に基づいて当該変更された表示優先項目の優先度以外の他の表示優先項目の優先度を決定してもよい。
【０２１８】
また、優先度決定部４０２ｈは、項目に対する指定操作が利用者により入力部４１６を介して入力された場合、項目変更部４０２ｆによる表示優先項目の変更に基づいて、当該変更された表示優先項目以外の他の表示優先項目の優先度を決定してもよい。また、優先度決定部４０２ｈは、グラフ中で配置が隣接する表示優先項目の優先度を連動させる線分に対する移動操作が利用者により入力部４１６を介して入力され、連動変更部４０２ｇにより線分で結ばれた表示優先項目の優先度が連動して変更された場合、当該変更された表示優先項目以外の他の表示優先項目の優先度を決定してもよい。また、優先度決定部４０２ｈは、更に、表示優先項目の優先度に対する所定の固定化操作が入力部４１６を介して入力（例えば、ダブルクリックなど）され、固定化部４０２ｄにより当該表示優先項目の当該優先度を変更させない固定化がされた場合、当該固定化された表示優先項目の優先度以外の他の表示優先項目の優先度を決定してもよい。また、優先度決定部４０２ｈは、所定の初期化操作が入力部４１６を介して入力され、初期化部４０２ｅにより各表示優先項目の優先度が初期設定の優先度に変更された場合、当該初期化された表示優先項目の優先度以外の他の表示優先項目の優先度を決定してもよい。
【０２１９】
そして、変更表示部４０２ｎは、ステップＳＣ−３にて利用者により入力部４１６を介して入力された表示優先項目の優先度、および、ステップＳＣ−３にて優先度決定部４０２ｈにより決定された表示優先項目の優先度に基づいて、グラフの表示を変更した表示画面を表示部４１４に表示させる（ステップＳＣ−４）、ここで、変更表示部４０２ｎは、補正値算出部４０２ｉにより算出された補正値、または、補正値算出部４０２ｉにより相互に変換された優先度もしくは補正値に基づきグラフの表示を変更した表示画面を表示部４１４に表示させてもよい。
【０２２０】
そして、ナビゲーション情報取得部４０２ｋは、利用者により入力部４１６を介して入力されたナビゲーション情報の検索条件を満たすＰＯＩ情報を含むナビゲーション情報をナビゲーション情報データベース４０６ｂから抽出して取得する（ステップＳＣ−５）。ここで、ナビゲーション情報取得部４０２ｋは、案内経路探索部４０２ｊにより生成されてナビゲーション情報データベース４０６ｂに格納された、利用者により入力部４１６を介して入力された経路探索条件を満たす出発地から目的地までの案内経路の案内経路データをナビゲーション情報データベース４０６ｂから抽出して取得してもよい。
【０２２１】
そして、表示優先度決定部４０２ｍは、ナビゲーション情報取得部４０２ｋにより取得されたナビゲーション情報と、ステップＳＣ−３にて利用者により入力部４１６を介して入力された表示優先項目の優先度、および、ステップＳＣ−３にて優先度決定部４０２ｈにより決定された表示優先項目の優先度とに基づき、ナビゲーション情報の表示優先度（スコア）を決定（算出）する（ステップＳＣ−６）。
【０２２２】
そして、変更表示部４０２ｎは、ステップＳＣ−６にて表示優先度決定部４０２ｍにより決定された表示優先度に基づき、表示部４１４に表示を行うＰＯＩを決定し、地図データベース４０６ｃに記憶された、ナビゲーション情報に含まれるＰＯＩ情報に基づくＰＯＩの所在地を含む地図の地図データ上に、ナビゲーション情報取得部４０２ｋにより取得された当該ナビゲーション情報に含まれるＰＯＩ情報の一部または全部を重畳した表示画面（検索結果表示）を表示部４１４に表示させる（ステップＳＣ−７）。ここで、変更表示部４０２ｎは、ステップＳＣ−６にて表示優先度決定部４０２ｍにより決定された表示優先度に基づき、地図データベース４０６ｃに記憶された、ナビゲーション情報に含まれる案内経路データに基づく案内経路を含む地図の地図データ上に、ナビゲーション情報取得部４０２ｋにより取得された当該ナビゲーション情報に含まれる案内経路データを重畳した表示画面を表示部４１４に表示させてもよい。また、変更表示部４０２ｎは、更に、現在位置情報取得部４０２ａにより取得される検索装置４００の利用者の現在位置情報に基づく表示画面を表示部４１４に表示させてもよい。
【０２２３】
そして、制御部４０２は、変更表示部４０２ｎによりナビゲーション情報に基づく表示画面が表示部４１４に表示された場合であって、表示優先項目の優先度が利用者により入力部４１６を介して変更された場合、変更された表示優先項目の優先度を取得する（ステップＳＣ−８）。ここで、制御部４０２は、表示優先項目の優先度に対する所定の固定化操作（例えば、ダブルクリックなど）が利用者により入力部４１６を介して入力され、固定化部４０２ｄにより固定化操作がなされた当該表示優先項目の当該優先度を変更させない固定化がされた場合、当該固定化された表示優先項目の優先度を取得してもよい。また、制御部４０２は、所定の初期化操作が利用者により入力部４１６を介して入力され、初期化部４０２ｅにより各表示優先項目の優先度を初期設定の優先度に変更する初期化がされた場合、当該初期化された表示優先項目の優先度を取得してもよい。また、制御部４０２は、グラフ中で配置が隣接する表示優先項目の優先度を連動させる線分に対する移動操作が利用者により入力部４１６を介して入力された場合、連動変更部４０２ｇにより当該移動操作に基づき線分で結ばれた表示優先項目の優先度を連動して変更された場合、当該連動して変更された表示優先項目の優先度を取得してもよい。
【０２２４】
そして、優先度決定部４０２ｈは、ステップＳＣ−８にて制御部４０２により取得された表示優先項目の優先度以外の他の表示優先項目の優先度を決定する（ステップＳＣ−９）。ここで、優先度決定部４０２ｈは、更に、項目に対する指定操作が利用者により入力部４１６を介して入力された場合、項目変更部４０２ｆによる表示優先項目の変更に基づいて、当該変更された表示優先項目以外の他の表示優先項目の優先度を決定してもよい。
【０２２５】
そして、変更表示部４０２ｎは、ステップＳＣ−８にて制御部４０２により取得された表示優先項目の優先度、および、ステップＳＣ−９にて優先度決定部４０２ｈにより決定された表示優先項目の優先度に基づいて、グラフの表示を変更した表示画面を表示部４１４に表示させる（ステップＳＣ−１０）。ここで、変更表示部４０２ｎは、補正値算出部４０２ｉにより算出された補正値、または、補正値算出部４０２ｉにより相互に変換された優先度もしくは補正値に基づきグラフの表示を変更した表示画面を表示部４１４に表示させてもよい。
【０２２６】
そして、表示優先度決定部４０２ｍは、ナビゲーション情報取得部４０２ｋにより取得されたナビゲーション情報と、ステップＳＣ−８にて制御部４０２により取得された表示優先項目の優先度、および、ステップＳＣ−９にて優先度決定部４０２ｈにより決定された表示優先項目の優先度とに基づき、ナビゲーション情報の表示優先度を決定する（ステップＳＣ−１１）。
【０２２７】
そして、変更表示部４０２ｎは、ステップＳＣ−１１にて表示優先度決定部４０２ｍにより決定された表示優先度に基づき、表示部４１４に表示を行うＰＯＩを決定し、地図データベース４０６ｃに記憶された、ナビゲーション情報に含まれるＰＯＩ情報に基づくＰＯＩの所在地を含む地図の地図データ上に、ナビゲーション情報取得部４０２ｋにより取得された当該ナビゲーション情報に含まれるＰＯＩ情報の一部または全部を重畳した表示画面（検索結果表示）を表示部４１４に再表示させる(ステップＳＣ−１２)。ここで、変更表示部４０２ｎは、ステップＳＣ−１１にて表示優先度決定部４０２ｍにより決定された表示優先度に基づき、地図データベース４０６ｃに記憶された、ナビゲーション情報に含まれる案内経路データに基づく案内経路を含む地図の地図データ上に、ナビゲーション情報取得部４０２ｋにより取得された当該ナビゲーション情報に含まれる案内経路データを重畳した表示画面を表示部４１４に再表示させてもよい。また、変更表示部４０２ｎは、更に、現在位置情報取得部４０２ａにより取得される検索装置４００の利用者の現在位置情報に基づく表示画面を表示部４１４に表示させてもよい。
【０２２８】
そして、制御部４０２は、所定の終了処理（例えば、電源ＯＦＦおよびアプリケーション終了処理等）を検出したか否か判定する（ステップＳＣ−１３）。
【０２２９】
そして、制御部４０２は、ステップＳＣ−１３にて所定の終了処理を検出しないと判定した場合（ステップＳＣ−１３：Ｎｏ）、処理をステップＳＣ−８に移行させる。
【０２３０】
一方、制御部４０２は、ステップＳＣ−１３にて所定の終了処理を検出したと判定した場合（ステップＳＣ−１３：Ｙｅｓ）、処理を終了する。
【０２３１】
以上で、第３の実施形態における検索装置４００の処理の一例の説明を終える。
【０２３２】
［他の実施の形態］
さて、これまで本発明の実施形態について説明したが、本発明は、上述した実施の形態以外にも、特許請求の範囲に記載した技術的思想の範囲内において種々の異なる実施の形態にて実施されてよいものである。
【０２３３】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０２３４】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０２３５】
また、端末装置１００、ナビゲーションサーバ２００、および、検索装置４００に関して、図示の各構成要素は機能概念的なものであり、必ずしも物理的に図示の如く構成されていることを要しない。
【０２３６】
例えば、端末装置１００、ナビゲーションサーバ２００、および、検索装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。尚、プログラムは、後述する記録媒体に記録されており、必要に応じて端末装置１００、ナビゲーションサーバ２００、および、検索装置４００に機械的に読み取られる。すなわち、ＲＯＭまたはＨＤＤ等の記憶部１０６、記憶部２０６、および、記憶部４０６等は、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０２３７】
また、このコンピュータプログラムは、端末装置１００、ナビゲーションサーバ２００、および、検索装置４００に対して任意のネットワーク３００を介して接続されたアプリケーションプログラムサーバに記憶されていてもよく、必要に応じてその全部または一部をダウンロードすることも可能である。
【０２３８】
また、本発明に係るプログラムを、コンピュータ読み取り可能な記録媒体に格納してもよく、また、プログラム製品として構成することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ、Ｂｌｕ−ｒａｙ  Ｄｉｓｃ等の任意の「可搬用の物理媒体」、あるいは、ＬＡＮ、ＷＡＮ、インターネットに代表されるネットワーク３００を介してプログラムを送信する場合の通信回線や搬送波のように、短期にプログラムを保持する「通信媒体」を含むものとする。
【０２３９】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０２４０】
記憶部１０６、記憶部２０６、ならびに、記憶部４０６に格納される各種のデータベース等（ナビゲーション情報ファイル１０６ａ、ネットワークデータベース２０６ａ、ナビゲーション情報データベース２０６ｂ、地図データベース２０６ｃ、ネットワークデータベース４０６ａ、ナビゲーション情報データベース４０６ｂ、および、地図データベース４０６ｃ等）は、ＲＡＭ、ＲＯＭ等のメモリ装置、ＨＤＤ等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【０２４１】
また、ナビゲーションサーバ２００は、既知のパーソナルコンピュータ、ワークステーション等の情報処理装置として構成してもよく、また、該情報処理装置に任意の周辺装置を接続して構成してもよい。また、ナビゲーションサーバ２００は、該情報処理装置に本発明の方法を実現させるソフトウェア（プログラム、データ等を含む）を実装することにより実現してもよい。
【０２４２】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０２４３】
以上詳述したように、本発明によれば、複数の表示優先項目の優先度の割合を容易に変更させることができる検索システム、ナビゲーションサーバ、検索装置、検索方法、および、プログラムを提供することができるので、ナビゲーションを支援する情報機器や情報処理分野などの様々な分野において極めて有用である。
【符号の説明】
【０２４４】
１００  端末装置
１０２  制御部
１０２ａ  現在位置情報取得部
１０２ｂ  表示優先項目設定部
１０２ｃ  入力画面表示部
１０２ｄ  固定化部
１０２ｅ  初期化部
１０２ｆ  項目変更部
１０２ｇ  連動変更部
１０２ｈ  優先度決定部
１０２ｉ  補正値算出部
１０２ｊ  検索条件送信部
１０２ｋ  ナビゲーション情報受信部
１０２ｍ  表示優先度決定部
１０２ｎ  変更表示部
１０２ｐ  経路案内部
１０４  通信制御インターフェース部
１０６  記憶部
１０６ａ  ナビゲーション情報ファイル
１０８  入出力制御インターフェース部
１１２  位置取得部
１１４  表示部
１１６  入力部
１１８  音声出力部
２００  ナビゲーションサーバ
２０２  制御部
２０２ａ  検索条件受信部
２０２ｂ  案内経路探索部
２０２ｃ  ナビゲーション情報取得部
２０２ｄ  ナビゲーション情報送信部
２０２ｅ  現在位置情報取得部
２０２ｆ  表示優先項目設定部
２０２ｇ  入力表示画面生成部
２０２ｈ  出力制御部
２０２ｉ  固定化部
２０２ｊ  初期化部
２０２ｋ  項目変更部
２０２ｍ  連動変更部
２０２ｎ  優先度決定部
２０２ｐ  補正値算出部
２０２ｑ  表示優先度決定部
２０２ｒ  変更表示画面生成部
２０２ｐ  経路案内表示画面生成部
２０４  通信制御インターフェース部
２０６  記憶部
２０６ａ  ネットワークデータベース
２０６ｂ  ナビゲーション情報データベース
２０６ｃ  地図データベース
３００  ネットワーク
４００  検索装置
４０２  制御部
４０２ａ  現在位置情報取得部
４０２ｂ  表示優先項目設定部
４０２ｃ  入力画面表示部
４０２ｄ  固定化部
４０２ｅ  初期化部
４０２ｆ  項目変更部
４０２ｇ  連動変更部
４０２ｈ  優先度決定部
４０２ｉ  補正値算出部
４０２ｊ  案内経路探索部
４０２ｋ  ナビゲーション情報取得部
４０２ｍ  表示優先度決定部
４０２ｎ  変更表示部
４０２ｐ  経路案内部
４０６  記憶部
４０６ａ  ネットワークデータベース
４０６ｂ  ナビゲーション情報データベース
４０６ｃ  地図データベース
４０８  入出力制御インターフェース部
４１２  位置取得部
４１４  表示部
４１６  入力部
４１８  音声出力部
５００  位置発信装置
【図１】
0005671350.tif 000004
【図２】
0005671350.tif 000005
【図３】
0005671350.tif 000006
【図４】
0005671350.tif 000007
【図５】
0005671350.tif 000008
【図６】
0005671350.tif 000009
【図７】
0005671350.tif 000010
【図８】
0005671350.tif 000011
【図９】
0005671350.tif 000012
【図１０】
0005671350.tif 000013
【図１１】
0005671350.tif 000014
【図１２】
0005671350.tif 000015
【図１３】
0005671350.tif 000016